(57)【要約】【課題】画素ずらし拡大表示部を備える装置の消費電力を電池の残量に応じて低減可能な画像表示装置等を提供する。【解決手段】表示素子４０に表示される画像の空間的位置を画素ずらし素子４４によって周期的に異ならせ接眼光学系４５を介して拡大観察可能とすることにより表示素子４０の画素数以上の高精細表示が可能なＥＶＦ表示部６と、ＥＶＦ表示部６を消費電力が異なる４点画素ずらし、２点画素ずらし、部分画素ずらし、ＬＰＦ、画素ずらしオフの各表示モードにより制御するＥＶＦ表示制御部３１と、電源部１１と、電源部１１の電力源が電池と外部電源との何れであるかと電池の残量とを判定する電源状態判断部１２と、電池の残量が少ない場合、電池の残量が多い場合、電源が外部電源である場合、の順に、消費電力の少ない表示モードを設定する画素ずらし表示判断部１４と、を備えた画像表示装置。【選択図】図１
2008271413.tif 000002
【特許請求の範囲】
【請求項１】
表示素子と、上記表示素子に表示される画像の空間的位置を周期的に異ならせることにより該表示素子が備える画素数以上の高精細表示を可能とする画素ずらし素子と、上記表示素子に表示され上記画素ずらし素子を経由した画像を拡大する拡大光学系と、を含む画素ずらし拡大表示部と、
上記画素ずらし拡大表示部を、画素ずらしの態様が異なりかつ消費電力が異なる複数の表示モードの内の何れかにより制御する表示制御手段と、
少なくとも電池から電力を供給され得るように構成された電源部と、
上記電池の残量を判定する電源状態判断部と、
上記電源状態判断部の判定結果が、上記電池の残量が相対的に少ないとする判定結果である場合には、上記電池の残量が相対的に多いとする判定結果である場合よりも、上記表示制御手段が制御する表示モードを消費電力のより少ない表示モードに設定するモード設定手段と、
を具備したことを特徴とする画像表示装置。
【請求項２】
上記複数の表示モードは、
上記画素ずらし素子が上記画像の空間的位置を周期的に異ならせる際に、上記表示素子に表示する画像を異なる空間的位置に対応する異なる画像とすることにより、該表示素子が備える画素数の複数倍の画素数の高精細表示を行う複数点画素ずらしモードと、
上記画素ずらし素子を駆動しない画素ずらしオフモードと、
を含むものであることを特徴とする請求項１に記載の画像表示装置。
【請求項３】
上記複数の表示モードは、上記画素ずらし素子が上記画像の空間的位置を周期的に異ならせる１周期に上記表示素子に表示する画像を同一の画像とするローパスフィルタモードをさらに含むものであることを特徴とする請求項２に記載の画像表示装置。
【請求項４】
上記複数の表示モードは、上記画素ずらし素子が上記画像の空間的位置を周期的に異ならせる際に、上記表示素子に表示する画像の一部のみを異なる空間的位置に対応する異なる画像とすることにより、画像の一部のみについて該表示素子が備える画素数の複数倍の画素数の高精細表示を行う部分画素ずらしモードをさらに含むものであることを特徴とする請求項２に記載の画像表示装置。
【請求項５】
当該画像表示装置に係る操作を行うための操作手段をさらに具備し、
上記モード設定手段は、上記操作手段に操作が行われることなく所定時間が経過した場合には、上記画素ずらしオフモードを設定するものであることを特徴とする請求項２に記載の画像表示装置。
【請求項６】
上記電源部は、さらに外部電源から電力を供給され得るように構成されたものであり、
上記電源状態判断部は、上記電源部が外部電源から電力を供給されているか電池から電力を供給されているかをさらに判定するものであり、
上記モード設定手段は、さらに、上記電源状態判断部の判定結果が、上記電源部が電池から電力を供給されているとする判定結果である場合には、上記電源部が外部電源から電力を供給されているとする判定結果である場合よりも、上記表示制御手段が制御する表示モードを消費電力のより少ない表示モードに設定するものであることを特徴とする請求項１に記載の画像表示装置。
【請求項７】
当該画像表示装置の環境条件を測定するための測定手段をさらに具備し、
上記モード設定手段は、上記電源状態判断部の判定結果に応じた可能な範囲内で、さらに上記測定手段の測定結果に基づいて、上記表示制御手段が制御する表示モードを設定するものであることを特徴とする請求項１に記載の画像表示装置。
【請求項８】
上記測定手段は、当該画像表示装置の環境条件としての温度を測定するための温度センサを含み、
上記モード設定手段は、上記温度センサにより測定された温度が、相対的に高い場合には、相対的に低い場合よりも、上記表示制御手段が制御する表示モードを上記電源状態判断部の判定結果に応じた可能な範囲内で消費電力のより少ない表示モードに設定するものであることを特徴とする請求項７に記載の画像表示装置。
【請求項９】
画像の空間周波数を解析する空間周波数解析手段をさらに具備し、
上記モード設定手段は、上記画素ずらし拡大表示部に表示しようとしている画像に対して上記空間周波数解析手段により解析を行った結果が、画像内に高周波成分が含まれているとする解析結果である場合には、画像内に高周波成分が含まれていないとする解析結果である場合よりも、上記表示制御手段が制御する表示モードを上記電源状態判断部の判定結果に応じた可能な範囲内で高精細な表示モードに設定するものであることを特徴とする請求項１に記載の画像表示装置。
【請求項１０】
動画像に含まれている被写体の動きを検出する動き検出手段をさらに具備し、
上記モード設定手段は、上記画素ずらし拡大表示部に表示しようとしている画像が動画像であって、上記動き検出手段の検出結果が、画像内に動きの速い被写体が含まれているとする検出結果である場合には、画像内に動きの速い被写体が含まれていないとする検出結果である場合よりも、上記表示制御手段が制御する表示モードを上記電源状態判断部の判定結果に応じた可能な範囲内で表示の遅延時間が短い表示モードに設定するものであることを特徴とする請求項１に記載の画像表示装置。
【請求項１１】
上記拡大光学系は接眼光学系であって、
上記画素ずらし拡大表示部による観察が行われているか否かを検出するための接眼検知手段をさらに具備し、
上記モード設定手段は、上記接眼検知手段により、上記画素ずらし拡大表示部による観察が行われていることが検出されているときには、上記表示制御手段が制御する表示モードを上記電源状態判断部の判定結果に応じた可能な範囲内で高精細な表示モードに設定するものであることを特徴とする請求項１に記載の撮像装置。
【請求項１２】
請求項１に記載の画像表示装置と、
画像を撮像するための撮像手段と、
を具備し、
上記画像表示装置は、上記撮像手段により撮像された画像を表示可能に構成されたものであることを特徴とする撮像装置。
【請求項１３】
当該撮像装置は、上記撮像手段による撮像を許可する記録モードと、該撮像手段による撮像を許可することなく上記画像表示装置による画像の再生を許可する再生モードと、に設定可能であって、上記記録モードは、上記撮像手段により静止画像を撮像するための静止画像記録モードを含み、
上記静止画像記録モードが設定されているときに上記撮像手段により撮像動作を行わせる操作入力を行うための２段式のレリーズボタンをさらに具備し、
上記モード設定手段は、上記レリーズボタンの１段目が操作されたときには、上記表示制御手段が制御する表示モードを上記電源状態判断部の判定結果に応じた可能な範囲内で高精細な表示モードに設定するものであることを特徴とする請求項１２に記載の撮像装置。
【請求項１４】
上記撮像手段は、被写体の光学像を結像するための撮像光学部と、上記撮像光学部により結像された被写体の光学像を画像信号として出力するための撮像素子と、を有して構成されたものであり、
上記撮像光学部のピント調整を手動で行うための手動ピント調節手段をさらに具備し、
上記モード設定手段は、上記手動ピント調節手段によりピント調節が手動で行われているときには、上記表示制御手段が制御する表示モードを上記電源状態判断部の判定結果に応じた可能な範囲内で高精細な表示モードに設定するものであることを特徴とする請求項１２に記載の撮像装置。
【請求項１５】
当該撮像装置が使用されている状態にあるか否かを検知するための検知手段をさらに具備し、
上記モード設定手段は、さらに、上記検知手段による検知結果が、当該撮像装置が使用されていない状態にあるという検知結果である場合には、当該撮像装置が使用されている状態にあるという検知結果である場合よりも、上記表示制御手段が制御する表示モードを上記電源状態判断部の判定結果に応じた可能な範囲内で消費電力のより少ない表示モードに設定するものであることを特徴とする請求項１２に記載の撮像装置。
【請求項１６】
コンピュータに、
表示素子と、上記表示素子に表示される画像の空間的位置を周期的に異ならせることにより該表示素子が備える画素数以上の高精細表示を可能とする画素ずらし素子と、上記表示素子に表示され上記画素ずらし素子を経由した画像を拡大する拡大光学系と、を含む画素ずらし拡大表示部と、
上記画素ずらし拡大表示部を、画素ずらしの態様が異なりかつ消費電力が異なる複数の表示モードの内の何れかにより制御する表示制御手段と、
少なくとも電池から電力を供給され得るように構成された電源部と、
上記電池の残量を判定する電源状態判断部と、
を備える画像表示装置を制御させるための処理プログラムであって、
コンピュータに、
上記電源状態判断部に上記電池の残量を判定させるステップと、
判定された上記電池の残量が相対的に少ない場合には、該電池の残量が相対的に多い場合よりも、消費電力のより少ない表示モードに設定するステップと、
設定した表示モードによって、上記画素ずらし拡大表示部を上記表示制御手段に制御させるステップと、
を実行させるための処理プログラム。
【請求項１７】
表示素子と、上記表示素子に表示される画像の空間的位置を周期的に異ならせることにより該表示素子が備える画素数以上の高精細表示を可能とする画素ずらし素子と、上記表示素子に表示され上記画素ずらし素子を経由した画像を拡大する拡大光学系と、を含む画素ずらし拡大表示部と、
上記画素ずらし拡大表示部を、画素ずらしの態様が異なりかつ消費電力が異なる複数の表示モードの内の何れかにより制御する表示制御手段と、
少なくとも電池から電力を供給され得るように構成された電源部と、
上記電池の残量を判定する電源状態判断部と、
を備える画像表示装置の制御方法であって、
上記電源状態判断部に上記電池の残量を判定させるステップと、
判定された上記電池の残量が相対的に少ない場合には、該電池の残量が相対的に多い場合よりも、消費電力のより少ない表示モードに設定するステップと、
設定した表示モードによって、上記画素ずらし拡大表示部を上記表示制御手段に制御させるステップと、
を含むことを特徴とする画像表示装置の制御方法。
【発明の詳細な説明】
【技術分野】
【０００１】
本発明は、画素ずらしを行うことにより表示素子が備える画素数以上の高精細表示を可能とする画像表示装置、撮像装置、処理プログラム、画像表示装置の制御方法に関する。
【背景技術】
【０００２】
近年、ハイビジョン（ＨＤ）放送の受像器、つまり、いわゆるハイビジョンテレビが次第に普及しつつある。また、パーソナルコンピュータ（ＰＣ）は処理性能が向上すると共に、該ＰＣに接続されている表示装置の高画素化が進んでいる。このように、生活環境において、各種の表示装置の高解像度化が進行している。
【０００３】
このような各種表示装置の高解像度化に伴って、バッテリを電源として用いる携帯情報端末（一例としては、ＰＤＡ（Personal Digital Asistant）や携帯電話等）においても、表示の画素数が増加する傾向にある。
【０００４】
このような携帯情報端末は、携帯可能となるように小型化が図られ、つまり小型な筐体を備えたものとして構成されているために、表示面積の絶対量を大きく確保することが困難である。このような点を解決するには種々の手段が考えられるが、その一例が電子ビューファインダ（以下では適宜、ＥＶＦ（Electronic View Finder）という。ここに、ＥＶＦは、小型の表示素子等に表示された画像を、接眼レンズ等を介して拡大して観察するタイプのファインダである。）を、携帯情報端末において画像を表示する手段として用いることである。このＥＶＦは、接眼レンズを覗き込むようにして使用するものとなっており、虚像を拡大して観察することができるために、擬似的に大画面の表示を行うことが可能である。従って、このＥＶＦを携帯情報端末と組み合せることにより、小型の機器である携帯情報端末においても、高画素で大画面の表示を観察することが可能となる利点がある。
【０００５】
ところで、ＥＶＦは、一般に小型の表示素子を用いる構成であるために、表示素子の画素数を増加させようとすると、１画素当たりの面積がかなり小さくなってしまうことになる。しかし、１画素当たりの面積を小さくすると、歩留まりが低下したり、製造プロセス上の限界に達したりするなどの、製造上の課題が生じることになる。
【０００６】
そこで、実際の表示素子の大きさよりも大画面の画像を観察するタイプの表示装置の分野、例えばプロジェクタやＨＭＤ（Head Mounted Display）の分野においては、画素ずらしの技術を用いた高画素化、高解像度化が実現されている。この画素ずらしの技術は、観察者から見る画素の位置（見かけの画素位置）を時系列的にずらすことにより、１つの画素で複数画素位置の表示を行うことができるようにする技術である。
【０００７】
このような画素ずらしの技術の例として、特許３５４７０１５号には、画素ずらしを用いて撮像時に高画素化を図る撮像装置の技術と、画素ずらしを用いて表示時に高画素化を図る表示装置の技術と、がそれぞれ別個に記載されている（すなわち、撮像装置に対して、画素ずらしを用いた高精細な画像表示の技術を適用することは明示されていない）。この公報に詳細に記載されている画素ずらしの技術は、例えば、光学的な画素位置を空間的にシフトする作用のある画素ずらし素子と、画素ずらしによるシフト位置に対応する画像をシフトのタイミングに同期して表示する画像表示素子と、により画素数の増大と解像度の向上とを同時に図るものとなっている。
【０００８】
また、特開２００１−１５７２２９号公報には、ＴＮ液晶と複屈折板とを組み合わせて画素ずらし素子を構成することが詳細に記載されており、さらに、駆動モードを切り替えることにより様々な入力フォーマットに対応する技術が記載されている。
【０００９】
このような画素ずらしの技術をＥＶＦに利用すれば、上述したような製造上の課題に直面することなく、小型の表示素子を用いながら高画素表示を実現することが可能となる。
【００１０】
しかし、表示しようとする画像の画素数が増大すると、高速な処理を行うことができる大規模なＤＳＰ（Digital Signal Processer）等の画像処理回路が必要となり、消費電力が増大してしまうことになる。これは、上述したようなバッテリを電源とする携帯情報端末等においては、使用時間が短くなるなどに繋がるために、低消費電力化を図ることは特に重要な課題となる。
【００１１】
一方、デジタルカメラやビデオカメラ等の撮像装置においても、撮像素子（例えばＣＣＤやＣＭＯＳなど）の急速な多画素化が進行している。このような撮像素子の多画素化の影響により、撮像装置は、システム全体の消費電力が増える傾向にあるが、現在市場に流通している多くのデジタルカメラやビデオカメラはバッテリ駆動を前提としているために、低消費電力化を図ることは大きな課題である。
【００１２】
そこで、低消費電力化を課題とした技術開発がなされており、例えば、特開平５−２０７３３９号公報には、バッテリ駆動を行うビデオカメラにおいて、センサを用いて撮影者がビデオカメラを使用している状態にあるか否かを検出し、使用していない状態であるときにはビューファインダへは電力を供給せず、使用している状態であるときにのみ電力を供給することにより、消費電力の低減を図るようにした技術が記載されている。ここに、センサとしては、例えばフォトセンサが用いられ、このフォトセンサをグリップ部に配置して、撮影者がグリップ部を握っているか否かを検出するものや、フォトセンサをビューファインダ部に配置して、撮影者がビューファインダ部をのぞき込んでいるか否かを検出するものなどが記載されている。
【００１３】
さらに、撮影者がカメラ等の撮像装置を使用している状態にあるか否かを検出し得る他の技術の例としては、例えば特開平２−１１２１２０号公報に記載されたレリーズボタンの半押しを検出する技術や、特開平９−１８７６９号公報に記載されたフォーカスリングの回転を検出する技術が挙げられる。
【００１４】
また、特開２００１−２８５７００号公報には、撮像装置におけるシステムの低消費電力化を課題として、高画質モード／標準モード／エコノミーモードを設定可能とし、各モードにおいて例えば信号処理回路におけるＡ／Ｄ変換の階調数（量子化ビット数）を１２／１０／８ビットなどのように変化させることにより、消費電流量を選択することができるようにする技術が記載されている。
【００１５】
ところで、画素ずらしを偏光スイッチング液晶を用いて行う場合に、液晶には温度特性があるために、温度が変化すると所望の性能が得られないことがある。そこで、例えば、特開平１１−３２６８７７号公報には、偏光スイッチング液晶の近傍に温度センサを設けて温度を測定し、測定された温度に基づいて偏光スイッチング液晶の駆動タイミングを調整する技術が記載されている。
【００１６】
また、特開平９−１３３９０４号公報や特開２００２−３２８４０２号公報には、液晶のみを用いて、液晶分子の傾斜による複屈折によって、入射する偏光の屈折角と変位する方向を変化する技術が記載されている。
【００１７】
さらに、メカニカル振動を用いて画素ずらしを行う技術は従来より提案されている。
【特許文献１】特許３５４７０１５号
【特許文献２】特開２００１−１５７２２９号公報
【特許文献３】特開平５−２０７３３９号公報
【特許文献４】特開平２−１１２１２０号公報
【特許文献５】特開平９−１８７６９号公報
【特許文献６】特開２００１−２８５７００号公報
【特許文献７】特開平１１−３２６８７７号公報
【特許文献８】特開平９−１３３９０４号公報
【特許文献９】特開２００２−３２８４０２号公報
【発明の開示】
【発明が解決しようとする課題】
【００１８】
ところで、現在市販されているＥＶＦを備えた撮像装置は、撮像された画像を表示するＥＶＦが、撮像素子の画素数よりも少ない画素数の画像を表示し得るのみであることが一般的である。
【００１９】
そこで、上述したような画素ずらしの技術を用いたＥＶＦを撮像装置に適用することにより、撮像素子の画素数により近い画素数の表示を、少ない画素数の表示素子（ＬＣＤ等）を用いて実現することが考えられる。
【００２０】
しかし、画素ずらしを行うと、画素ずらし素子を駆動するために電力を消費することになる。さらに、この画素ずらしの技術は、１つの表示素子により複数のサブフレームの画像を空間位置をずらして表示し、全体として１つのフレーム画像を表示するものであるために、１つのフレーム画像は表示素子の画素数の複数倍の画素数となる。従って、このような多画素のフレーム画像は、画素数の多さに応じた消費電力を画像処理に要することになる。そして、この多画素のフレーム画像を処理するに要する消費電力は、画素ずらし素子を駆動するに要する消費電力にも増して大きな電力を必要とするものである。
【００２１】
このように、画素ずらしの技術を用いて高画素の表示を行う場合には、システム全体の消費電力が増大することは避けられないが、バッテリ駆動の装置においては上述したように消費電力を低減することが必須であるために、何らかの解決が図られることが望まれている。
【００２２】
なお、上述した特開平５−２０７３３９号公報には、画素ずらしの技術を用いたＥＶＦは記載されておらず、当然にして画素ずらしの特性を利用して低消費電力化を図ることについては記載されていない。
【００２３】
また、上記特許３５４７０１５号や上記特開２００１−１５７２２９号公報には、画素ずらしの技術は記載されているものの、画素ずらしの特性を利用して低消費電力化を図ることについては記載されていない。
【００２４】
そして、特開２００１−２８５７００号公報には、モードに応じて画像のデータ量（ビット数）を変化させることにより、消費電力を選択可能にする技術は記載されているが、画素ずらしの特性を利用して低消費電力化を図ることについては記載されていない。
【００２５】
このように、画素ずらしの技術を利用したＥＶＦ等の画素ずらし拡大表示部を備えるバッテリー駆動タイプの画像表示装置等において、画素ずらしの特性を利用した低消費電力化を図る技術が求められている。
【００２６】
本発明は上記事情に鑑みてなされたものであり、画素ずらし可能な画素ずらし拡大表示部を備える装置の消費電力を電池の残量に応じて低減可能な画像表示装置、撮像装置、処理プログラム、画像表示装置の制御方法を提供することを目的としている。
【課題を解決するための手段】
【００２７】
上記の目的を達成するために、第１の発明による画像表示装置は、表示素子と上記表示素子に表示される画像の空間的位置を周期的に異ならせることにより該表示素子が備える画素数以上の高精細表示を可能とする画素ずらし素子と上記表示素子に表示され上記画素ずらし素子を経由した画像を拡大する拡大光学系とを含む画素ずらし拡大表示部と、上記画素ずらし拡大表示部を画素ずらしの態様が異なりかつ消費電力が異なる複数の表示モードの内の何れかにより制御する表示制御手段と、少なくとも電池から電力を供給され得るように構成された電源部と、上記電池の残量を判定する電源状態判断部と、上記電源状態判断部の判定結果が上記電池の残量が相対的に少ないとする判定結果である場合には上記電池の残量が相対的に多いとする判定結果である場合よりも上記表示制御手段が制御する表示モードを消費電力のより少ない表示モードに設定するモード設定手段と、を具備したものである。
【００２８】
また、第２の発明による画像表示装置は、上記第１の発明による画像表示装置において、上記複数の表示モードが、上記画素ずらし素子が上記画像の空間的位置を周期的に異ならせる際に上記表示素子に表示する画像を異なる空間的位置に対応する異なる画像とすることにより該表示素子が備える画素数の複数倍の画素数の高精細表示を行う複数点画素ずらしモードと、上記画素ずらし素子を駆動しない画素ずらしオフモードと、を含むものである。
【００２９】
さらに、第３の発明による画像表示装置は、上記第２の発明による画像表示装置において、上記複数の表示モードが、上記画素ずらし素子が上記画像の空間的位置を周期的に異ならせる１周期に上記表示素子に表示する画像を同一の画像とするローパスフィルタモードをさらに含むものである。
【００３０】
第４の発明による画像表示装置は、上記第２の発明による画像表示装置において、上記複数の表示モードが、上記画素ずらし素子が上記画像の空間的位置を周期的に異ならせる際に、上記表示素子に表示する画像の一部のみを異なる空間的位置に対応する異なる画像とすることにより、画像の一部のみについて該表示素子が備える画素数の複数倍の画素数の高精細表示を行う部分画素ずらしモードをさらに含むものである。
【００３１】
第５の発明による画像表示装置は、上記第２の発明による画像表示装置において、当該画像表示装置に係る操作を行うための操作手段をさらに具備し、上記モード設定手段は、上記操作手段に操作が行われることなく所定時間が経過した場合には、上記画素ずらしオフモードを設定するものである。
【００３２】
第６の発明による画像表示装置は、上記第１の発明による画像表示装置において、上記電源部が、さらに外部電源から電力を供給され得るように構成されたものであり、上記電源状態判断部は、上記電源部が外部電源から電力を供給されているか電池から電力を供給されているかをさらに判定するものであり、上記モード設定手段は、さらに、上記電源状態判断部の判定結果が、上記電源部が電池から電力を供給されているとする判定結果である場合には、上記電源部が外部電源から電力を供給されているとする判定結果である場合よりも、上記表示制御手段が制御する表示モードを消費電力のより少ない表示モードに設定するものである。
【００３３】
第７の発明による画像表示装置は、上記第１の発明による画像表示装置において、当該画像表示装置の環境条件を測定するための測定手段をさらに具備し、上記モード設定手段は、上記電源状態判断部の判定結果に応じた可能な範囲内で、さらに上記測定手段の測定結果に基づいて、上記表示制御手段が制御する表示モードを設定するものである。
【００３４】
第８の発明による画像表示装置は、上記第７の発明による画像表示装置において、上記測定手段が、当該画像表示装置の環境条件としての温度を測定するための温度センサを含み、上記モード設定手段は、上記温度センサにより測定された温度が、相対的に高い場合には、相対的に低い場合よりも、上記表示制御手段が制御する表示モードを上記電源状態判断部の判定結果に応じた可能な範囲内で消費電力のより少ない表示モードに設定するものである。
【００３５】
第９の発明による画像表示装置は、上記第１の発明による画像表示装置において、画像の空間周波数を解析する空間周波数解析手段をさらに具備し、上記モード設定手段は、上記画素ずらし拡大表示部に表示しようとしている画像に対して上記空間周波数解析手段により解析を行った結果が、画像内に高周波成分が含まれているとする解析結果である場合には、画像内に高周波成分が含まれていないとする解析結果である場合よりも、上記表示制御手段が制御する表示モードを上記電源状態判断部の判定結果に応じた可能な範囲内で高精細な表示モードに設定するものである。
【００３６】
第１０の発明による画像表示装置は、上記第１の発明による画像表示装置において、動画像に含まれている被写体の動きを検出する動き検出手段をさらに具備し、上記モード設定手段は、上記画素ずらし拡大表示部に表示しようとしている画像が動画像であって、上記動き検出手段の検出結果が、画像内に動きの速い被写体が含まれているとする検出結果である場合には、画像内に動きの速い被写体が含まれていないとする検出結果である場合よりも、上記表示制御手段が制御する表示モードを上記電源状態判断部の判定結果に応じた可能な範囲内で表示の遅延時間が短い表示モードに設定するものである。
【００３７】
第１１の発明による画像表示装置は、上記第１の発明による画像表示装置において、上記拡大光学系は接眼光学系であって、上記画素ずらし拡大表示部による観察が行われているか否かを検出するための接眼検知手段をさらに具備し、上記モード設定手段は、上記接眼検知手段により、上記画素ずらし拡大表示部による観察が行われていることが検出されているときには、上記表示制御手段が制御する表示モードを上記電源状態判断部の判定結果に応じた可能な範囲内で高精細な表示モードに設定するものである。
【００３８】
第１２の発明による撮像装置は、上記第１の発明による画像表示装置と、画像を撮像するための撮像手段と、を具備し、上記画像表示装置は、上記撮像手段により撮像された画像を表示可能に構成されたものである。
【００３９】
第１３の発明による撮像装置は、上記第１２の発明による撮像装置において、上記撮像手段による撮像を許可する記録モードと、該撮像手段による撮像を許可することなく上記画像表示装置による画像の再生を許可する再生モードと、に設定可能であって、上記記録モードは、上記撮像手段により静止画像を撮像するための静止画像記録モードを含み、上記静止画像記録モードが設定されているときに上記撮像手段により撮像動作を行わせる操作入力を行うための２段式のレリーズボタンをさらに具備し、上記モード設定手段は、上記レリーズボタンの１段目が操作されたときには、上記表示制御手段が制御する表示モードを上記電源状態判断部の判定結果に応じた可能な範囲内で高精細な表示モードに設定するものである。
【００４０】
第１４の発明による撮像装置は、上記第１２の発明による撮像装置において、上記撮像手段が被写体の光学像を結像するための撮像光学部と上記撮像光学部により結像された被写体の光学像を画像信号として出力するための撮像素子とを有して構成されたものであり、上記撮像光学部のピント調整を手動で行うための手動ピント調節手段をさらに具備し、上記モード設定手段は、上記手動ピント調節手段によりピント調節が手動で行われているときには、上記表示制御手段が制御する表示モードを上記電源状態判断部の判定結果に応じた可能な範囲内で高精細な表示モードに設定するものである。
【００４１】
第１５の発明による撮像装置は、上記第１２の発明による撮像装置において、当該撮像装置が使用されている状態にあるか否かを検知するための検知手段をさらに具備し、上記モード設定手段は、さらに、上記検知手段による検知結果が、当該撮像装置が使用されていない状態にあるという検知結果である場合には、当該撮像装置が使用されている状態にあるという検知結果である場合よりも、上記表示制御手段が制御する表示モードを上記電源状態判断部の判定結果に応じた可能な範囲内で消費電力のより少ない表示モードに設定するものである。
【００４２】
第１６の発明による処理プログラムは、コンピュータに、表示素子と上記表示素子に表示される画像の空間的位置を周期的に異ならせることにより該表示素子が備える画素数以上の高精細表示を可能とする画素ずらし素子と上記表示素子に表示され上記画素ずらし素子を経由した画像を拡大する拡大光学系とを含む画素ずらし拡大表示部と、上記画素ずらし拡大表示部を画素ずらしの態様が異なりかつ消費電力が異なる複数の表示モードの内の何れかにより制御する表示制御手段と、少なくとも電池から電力を供給され得るように構成された電源部と、上記電池の残量を判定する電源状態判断部と、を備える画像表示装置を制御させるための処理プログラムであって、コンピュータに、上記電源状態判断部に上記電池の残量を判定させるステップと、判定された上記電池の残量が相対的に少ない場合には該電池の残量が相対的に多い場合よりも消費電力のより少ない表示モードに設定するステップと、設定した表示モードによって上記画素ずらし拡大表示部を上記表示制御手段に制御させるステップと、を実行させるためのプログラムである。
【００４３】
第１７の発明による画像表示装置の制御方法は、表示素子と上記表示素子に表示される画像の空間的位置を周期的に異ならせることにより該表示素子が備える画素数以上の高精細表示を可能とする画素ずらし素子と上記表示素子に表示され上記画素ずらし素子を経由した画像を拡大する拡大光学系とを含む画素ずらし拡大表示部と、上記画素ずらし拡大表示部を画素ずらしの態様が異なりかつ消費電力が異なる複数の表示モードの内の何れかにより制御する表示制御手段と、少なくとも電池から電力を供給され得るように構成された電源部と、上記電池の残量を判定する電源状態判断部と、を備える画像表示装置の制御方法であって、上記電源状態判断部に上記電池の残量を判定させるステップと、判定された上記電池の残量が相対的に少ない場合には該電池の残量が相対的に多い場合よりも消費電力のより少ない表示モードに設定するステップと、設定した表示モードによって上記画素ずらし拡大表示部を上記表示制御手段に制御させるステップと、を含む方法である。
【発明の効果】
【００４４】
本発明の画像表示装置、撮像装置、処理プログラム、画像表示装置の制御方法によれば、画素ずらし可能な画素ずらし拡大表示部を備える装置の消費電力を電池の残量に応じて低減することが可能となる。
【発明を実施するための最良の形態】
【００４５】
以下、図面を参照して本発明の実施の形態を説明する。
【００４６】
［実施形態１］
図１から図１９は本発明の実施形態１を示したものであり、図１は画素ずらしの技術を用いたＥＶＦ（Electronic View Finder：電子ビューファインダ）表示部を備える撮像装置の構成を示すブロック図である。
【００４７】
この撮像装置は、撮像手段たる撮像部１と、空間周波数解析手段であり動き検出手段を兼ねた画像処理回路２と、空間周波数解析手段たる圧縮伸張部３と、表示部４と、タイミングジェネレータ５と、画素ずらし拡大表示部たるＥＶＦ表示部６と、測定手段たるセンサ７と、着脱メモリ８と、内蔵メモリ９と、不揮発性メモリ１０と、電源部１１と、電源状態判断部１２と、操作手段であり検知手段たる操作部１３と、空間周波数解析手段であり動き検出手段たるシステムコントローラ１４と、を備えており、画像表示装置と撮像手段との機能を兼ね備えたものとなっている。
【００４８】
撮像部１は、撮像光学部２１と、撮像素子２２と、撮像回路２３と、Ａ／Ｄ変換器２４と、フォーカスモータ駆動回路２５と、ズームモータ駆動回路２６と、絞り駆動回路２７と、シャッタ駆動回路２８と、を備えている。
【００４９】
撮像光学部２１は、被写体像を撮像素子２２に結像するためのものでありズーム光学系として構成された撮像レンズと、この撮像レンズを通過する光束の光量を制御するための絞りと、撮像レンズを通過する光束の通過時間を制御するためのメカニカルシャッタと、撮像レンズに含まれるズームレンズを駆動するためのズームモータと、撮像レンズに含まれるフォーカスレンズを駆動するためのフォーカスモータと、を備えて構成されている。
【００５０】
撮像素子２２は、撮像光学部２１により結像された被写体の光学像を光電変換して、電気信号として出力するものであり、例えばＣＣＤやＣＭＯＳとして構成されている。
【００５１】
撮像回路２３は、撮像素子２２を駆動すると共に、撮像素子２２から得られた電気信号をアナログの画像信号に変換して出力するものである。
【００５２】
Ａ／Ｄ変換器２４は、撮像回路２３から出力されたアナログの画像信号を、デジタルの画像信号（以下では適宜、「画像情報」あるいは「画像データ」ともいう）に変換して出力するものである。
【００５３】
フォーカスモータ駆動回路２５は、撮像光学部２１に含まれるフォーカスモータを制御して駆動することにより、撮像レンズのフォーカシングを行うものである。
【００５４】
ズームモータ駆動回路２６は、撮像光学部２１に含まれるズームモータを制御して駆動することにより、撮像レンズのズーミングを行うものである。
【００５５】
絞り駆動回路２７は、撮像光学部２１に含まれる絞りを制御して駆動することにより、絞り調整を行うものである。
【００５６】
シャッタ駆動回路２８は、撮像光学部２１に含まれるメカニカルシャッタを制御して駆動することにより、撮像素子２２の露光時間（シャッタ時間）を調節するものである。
【００５７】
なお、この撮像部１内の各部の動作は、タイミングジェネレータ５から発生されるタイミング信号に基づいて、システムコントローラ１４の制御に基づき同期して行われるようになっている。
【００５８】
画像処理回路２は、Ａ／Ｄ変換器２４から出力され、バスを介して内蔵メモリ９に一旦記憶された画像信号に各種の画像処理を行うためのものである。この画像処理回路２により画像処理された画像信号は、バスを介して内蔵メモリ９に再び記憶されるようになっている。
【００５９】
圧縮伸張部３は、画像処理回路２により処理された画像信号を圧縮処理したり、あるいは着脱メモリ８に既に記録されている圧縮された画像信号を伸張処理して内蔵メモリ９に記憶させる処理を行ったりするものである。
【００６０】
表示部４は、画像処理回路２により処理された画像を表示したり、あるいはこの撮像装置に係る各種の情報を表示したりするためのものであり、例えば撮像装置の背面側に配設されたＬＣＤ等を含んで構成される表示部となっている。ここに、この撮像装置には、この背面ＬＣＤ等で構成される表示部４と、ＥＶＦ表示部６と、の両方が設けられていて、これらはシステムコントローラ１４により制御されるようになっている。すなわち、システムコントローラ１４は、例えば表示部４により表示を行うときにはＥＶＦ表示部６を非表示とする、ＥＶＦ表示部６により表示を行うときには表示部４を非表示とする、表示部４とＥＶＦ表示部６とを同時に表示する、表示部４とＥＶＦ表示部６とを両方とも非表示とする、等の表示状態の制御を行うようになっている。
【００６１】
タイミングジェネレータ５は、この撮像装置において用いられる基準となる信号（タイミング信号）を生成するものである。
【００６２】
ＥＶＦ表示部６は、画素ずらし技術を用いた高精細な画像表示を行うことができるように構成された電子ビューファインダとなっている。本実施形態においては、ＥＶＦ表示部６は、画素ずらしの態様が互いに異なる、４点画素ずらしモード（複数点画素ずらしモードの１つ）と、２点画素ずらしモード（複数点画素ずらしモードの１つ）と、ＬＰＦ（ローパスフィルタ）モードと、部分画素ずらしモードと、画素ずらしオフモードと、の動作を行うことができるようになっている。これらの各動作モードについては、後で詳しく説明する。このＥＶＦ表示部６は、表示制御手段たるＥＶＦ表示制御部３１と、サブフレームメモリ３２と、光源駆動回路３３と、表示素子駆動回路３４と、ＳＷ液晶駆動回路３５と、接眼検知手段であり検知手段たる接眼検知ユニット３６と、光源部３７と、照明光学系３８と、偏光板３９と、表示素子４０と、偏光板４１と、画素ずらし素子４４と、拡大光学系たる接眼光学系４５と、スイッチング液晶センサユニット４６と、を有して構成されている。
【００６３】
ここに、光源部３７は、例えば赤色（Ｒ）ＬＥＤ３７ｒと、緑色（Ｇ）ＬＥＤ３７ｇと、青色（Ｂ）ＬＥＤ３７ｂと、を有する３原色面順次タイプの光源として構成されている。なお、ここでは光源としてＬＥＤを用いているが、これに代えて表示素子４０を面状に照明するバックライト等の光源を用いるようにしてももちろん構わない。このような平面バックライト等の光源を色面順次化する場合には、光源としてＬＥＤを採用した平面バックライトを用いると良い。また、このような色面順次の光源部３７に対応して、表示素子４０はモノクロタイプの表示素子（例えば、モノクロ透過型ＬＣＤ）として構成されている。
【００６４】
また、画素ずらし素子４４は、第１の偏光スイッチング液晶４２ａと、第１の複屈折板４３ａと、第２の偏光スイッチング液晶４２ｂと、第２の複屈折板４３ｂと、を光路上にこの順に沿って配列して構成されている。
【００６５】
ＥＶＦ表示制御部３１は、システムコントローラ１４の制御に基づき、ＥＶＦ表示部６内の各回路を制御するものであり、画素ずらしに関する制御を行うための画素ずらし制御部３１ａを備えている。
【００６６】
サブフレームメモリ３２は、例えば４つのサブフレーム分のサブフレームメモリ３２ａ，３２ｂ，３２ｃ，３２ｄを有して構成されていて、サブフレームメモリ３２ａは後述する画素位置Ａの画像データを記憶するためのメモリ、サブフレームメモリ３２ｂは後述する画素位置Ｂの画像データを記憶するためのメモリ、サブフレームメモリ３２ｃは後述する画素位置Ｃの画像データを記憶するためのメモリ、サブフレームメモリ３２ｄは後述する画素位置Ｄの画像データを記憶するためのメモリとなっている。これら各サブフレームメモリ３２ａ，３２ｂ，３２ｃ，３２ｄに記憶される画像データは、画像処理回路２により画像処理された後に内蔵メモリ９に記憶されている画像データから画素ずらし制御部３１ａが作成して、書き込むようになっている。
【００６７】
光源駆動回路３３は、ＥＶＦ表示制御部３１の制御に基づいて、光源部３７を制御し画素ずらしのタイミングに応じた各ＬＥＤの発光を行わせるためのものである。
【００６８】
表示素子駆動回路３４は、ＥＶＦ表示制御部３１の制御に基づいて、画素ずらしのタイミングに応じてサブフレームメモリ３２ａ，３２ｂ，３２ｃ，３２ｄの何れかから読み出されて転送されてくるサブフレームの画像データを、該画素ずらしのタイミングに応じて表示素子４０に表示させるように制御するものである。
【００６９】
ＳＷ液晶駆動回路３５は、ＥＶＦ表示制御部３１の制御に基づいて、画素ずらしのタイミングに応じて第１の偏光スイッチング液晶４２ａおよび第２の偏光スイッチング液晶４２ｂを制御し駆動するものである。
【００７０】
接眼検知ユニット３６は、接眼光学系４５の近傍に配設されていて、この接眼光学系４５を介して撮影者が観察を行っているか否かを検出するためのものである。
【００７１】
照明光学系３８は、上述した光源部３７からの照明光を表示素子４０上に効率良く照射するためのものである。なお、表示素子４０への入射光が偏光光となるために、偏光方向を効率良く揃えるＰＳ変換素子や表示素子４０の照明ムラを低減するための光インテグレータ素子を用いるようにしても良い。もちろん、十分な明るさが得られる場合には、これらを設けなくても構わない。
【００７２】
偏光板３９，４１は、表示素子４０を挟んで直交ニコルに（偏光透過軸の方向が直交するように）配設されたものである。なお、これらの偏光板３９，４１は、図１においては表示素子４０と空間的に離れて図示されているが、表示素子４０に対して貼付されている構成であっても構わない。
【００７３】
画素ずらし素子４４については、後で図２等を参照して詳細に説明する。
【００７４】
スイッチング液晶センサユニット４６は、画素ずらし素子４４に設けられた偏光スイッチング液晶４２ａ，４２ｂの状態（応答速度等）を検出して、検出結果をＥＶＦ表示制御部３１へ出力するものである。ＥＶＦ表示制御部３１は、このスイッチング液晶センサユニット４６により検出された結果に基づいて、各駆動タイミングの最適化を図るようになっている。
【００７５】
接眼光学系４５は、表示素子４０に表示され、画素ずらし素子４４を介して時系列的に高画素化された画像を、虚像として観察者の目に拡大して投影するものである。
【００７６】
続いて、センサ７は、例えば温度センサ等を含んで構成されたものである。ここに、温度センサは、この撮像装置内の温度を測定するためのものであり、例えば発熱量の大きい構成要素の近傍、例えばＥＶＦ表示制御部３１や画像処理回路２などの近傍に配設されている。撮像素子２２は、温度が高くなると画像中のノイズ量が増加することが知られており、また、各種処理回路等も温度が高くなると動作に支障を来す可能性があるために、撮像装置内の温度を適正範囲内に保つことは重要である。そこで、このセンサ７により、温度等を測定するようになっている。なお、ここでは環境条件として温度を測定する例を挙げたが、湿度や重力方向など、その他の環境条件を測定するようにしても構わない。
【００７７】
着脱メモリ８は、メモリカード（例えば、ＳＤカード、ｘＤピクチャーカード、スマートメディア等）や小型ハードディスク等の着脱可能な不揮発性の記録媒体であり、撮像部１により撮像された画像（静止画像や動画像）、あるいは音声等を記録するためのものである。
【００７８】
内蔵メモリ９は、高速に動作する揮発性のメモリ、例えばＳＤＲＡＭ（Synchronous Dynamic Random Access Memory）等により構成されたものであり、上述したように画像処理用のワークエリアとしても使用されるようになっている。
【００７９】
不揮発性メモリ１０は、フラッシュメモリ等の不揮発性記録媒体として構成されていて、この撮像装置の基本制御プログラムや、この撮像装置に関する種々のデータ等が記録されたものである。システムコントローラ１４は、この不揮発性メモリ１０から基本制御プログラムを読み出して実行することにより、撮像装置全体の制御を行うようになっている。
【００８０】
電源部１１は、電池または外部電源から供給される電力を、この撮像装置内部の各部に安定化して供給するものである。この撮像装置は、携帯可能なものであって、通常の携帯時には電池により駆動するようになっているが、ＡＣアダプタ等を接続することにより外部電源から電力の供給を受けて動作することも可能となっている。
【００８１】
電源状態判断部１２は、電源部１１が電池から電源の供給を行っているか、または外部電源から電源の供給を行っているかを判定すると共に、さらに電池から電源の供給を行っていると判定したときには電池の電圧等を検出することにより電池の残量を判定するものとなっている。この電源状態判断部１２による判定結果は、システムコントローラ１４へ伝達されるようになっている。
【００８２】
操作部１３は、この撮像装置の電源のオン／オフ（ここに、オフはスタンバイモードとなり、オンは記録モードまたは再生モードとなる）を行うための電源スイッチや、この撮像装置の動作モードを記録モードまたは再生モードに設定するためのモード切換スイッチ、記録モードのときに動画像を記録するか静止画像を記録するかを設定する（すなわち、動画像記録モードと静止画像記録モードとを設定する）ための動画／静止画切換スイッチ、撮像動作を指示入力するための２段式のボタンスイッチでなる検知手段たるレリーズボタン１３ａ（図７参照）、ピント調整を手動で行う（ここに、「手動で行う」とは、モータ等の駆動力を得て手動で行う電動式フォーカスを含む。）ための手動ピント調節手段であり検知手段たるフォーカスリング１３ｂ（図７参照）、ＥＶＦ部６の画素ずらしモードを設定するためのボタン、各種の選択操作や移動操作を行うための十字キー等を含んで構成されるものである。
【００８３】
システムコントローラ１４は、上述した基本制御プログラムに基づいて、この撮像装置全体を統括的に制御するためのものである。このシステムコントローラ１４は、ＥＶＦ表示部６による画素ずらしの表示モードを設定し該ＥＶＦ表示部６を制御するモード設定手段たる画素ずらし表示判断部１４ａを備えて構成されている。
【００８４】
この撮像装置は、記録モードと、再生モードと、スタンバイモードと、の３つの動作モードに設定可能となっている。
【００８５】
ここに、スタンバイモードは、上述した電源スイッチの操作を監視するのに必要な最低限の回路のみを動作させ、その他の主要な回路への電源を切断するモード（いわゆる電源オフモード）である。この撮像装置は、上述した電源スイッチの操作により、このスタンバイモードと、記録モードまたは再生モード（何れのモードになるかはモード切換スイッチの選択による）と、の間を移行するようになっている。
【００８６】
また、記録モードは、レリーズボタン１３ａ（図７参照）の手動操作によって発生する撮影指令を受けると、画像を撮像して記録するモードであり、撮像部１による撮像を許可するモードとなっている。この記録モードには、静止画像記録モードと、動画像記録モードと、の２つのモードが設けられていて、操作部１３の上述した動画／静止画切換スイッチの操作により切り換えられるようになっている。
【００８７】
さらに、再生モードは、着脱メモリ８に記録されている画像を再生して、例えば表示部４やＥＶＦ表示部６に表示するためのモードであり、撮像部１による撮像を許可することなく表示部４やＥＶＦ表示部６による画像の再生を許可する再生モードとなっている。この再生モードにおいては、レリーズボタン１３ａを操作しても撮像動作が行われることはない。なお、再生モードにおいて動画像を再生しているときにこのレリーズボタン１３ａが操作された場合には、コマ送り再生を行うように構成しても良い。
【００８８】
これら記録モードと再生モードとは、上述したモード切換スイッチの操作により切り換えられるようになっている。
【００８９】
また、記録モードまたは再生モードにあるときに、何らの操作が行われることなく各所定時間（例えば、記録モードの所定時間は１分、再生モードの所定時間は３分、など）が経過した場合には自動的にスタンバイモードに移行するようになっている。このスタンバイモードにおいては、電源スイッチ以外のスイッチ操作は一切受け付けないように構成されている。ただし、レリーズボタン１３ａが操作されたときにスタンバイモードから選択されたモード（記録モードまたは再生モード）に移行するようにしても構わない。さらに、スタンバイモードから各モードへ移行するための特定スイッチを、設計事項として任意に設定することが可能であるし、あるいはユーザにより所望に設定することができるように構成しても構わない。なお、所定時間無操作であるときに自動的にこのスタンバイモードへ移行するのは、電源部１１が電池から電力を供給されているときのみであり、電源部１１が外部電源からの電力を供給されているときには行われない。
【００９０】
次に、このような撮像装置において、画像を撮像するときの動作を説明する。
【００９１】
本撮影に先立って、マニュアル設定により、または焦点検出結果および測光結果に基づく自動設定により、撮像光学部２１のフォーカス調整が行われ、撮像の露光時間（シャッタ速度）および絞り値が設定されているものとする。
【００９２】
そして、レリーズボタン１３ａの２段目の押圧が行われると、撮像光学部２１を介して結像された被写体の光学像が上記露光時間だけ撮像素子２２により電気信号に変換され、その後に撮像素子２２から出力されて撮像回路２３によりアナログ画像信号に変換される。
【００９３】
このアナログ画像信号は、Ａ／Ｄ変換器２４によりデジタル画像信号に変換されて、一旦、内蔵メモリ９に記憶される。
【００９４】
画像処理回路２は、内蔵メモリ９に一時的に記憶された画像情報に対して、公知の画像処理、例えば画素欠陥補償、撮像素子２２が単板である場合には３板化の処理、色バランス処理、ＲＧＢ信号から輝度−色差信号へのマトリクス変換処理やその逆変換処理、帯域制限等による偽色除去（あるいは偽色低減）処理、γ変換に代表されるような各種の非線型処理、画素数変換処理、などを行うものである。
【００９５】
この画像処理回路２により各種の画像処理を受けた画像情報は、圧縮伸張部３により例えばＪＰＥＧ圧縮（静止画像の場合）やＭＰＥＧ圧縮（動画像の場合）等がなされて、着脱メモリ８に記録される。
【００９６】
また、撮像した画像は、表示部４とＥＶＦ表示部６との何れにも表示することが可能である。ここに、表示部４に表示する場合には、画像処理回路２により画像処理がなされ、さらに表示部４用に画素数変換が行われた画像情報が、表示部４に表示される。また、ＥＶＦ表示部６に表示する場合には、画像処理回路２により画像処理がなされて内蔵メモリ９に一時的に記憶されている画像が、ＥＶＦ表示制御部３１により画素数変換されてサブフレームメモリ３２にサブフレーム単位で記録され、さらに表示素子駆動回路３４を介して表示素子４０に表示される。このときには、光源部３７が駆動されるとともに、偏光スイッチング液晶４２ａ，４２ｂも必要に応じて駆動され、ＥＶＦ表示部６による表示が行われる。なお、このＥＶＦ表示部６の動作については、後で詳しく説明する。
【００９７】
なお、静止画像を撮像する前に表示部４またはＥＶＦ表示部６により構図の確認等を行う場合には、これらにフレーム画像が表示されることになる。
【００９８】
一方、着脱メモリ８に既に記録されている画像を表示する場合には、着脱メモリ８から圧縮されている画像情報を読み出して圧縮伸張部３により伸張し、伸張後の画像情報を内蔵メモリ９に一時的に記憶する。次に、伸張した画像情報に、例えば画像処理回路２により所定の画像処理を施した後に、処理後の画像を撮影時と同様に表示部４またはＥＶＦ表示部６に表示する。
【００９９】
システムコントローラ１４は、不揮発性メモリ１０から撮像装置の基本制御プログラムを読み出して、上述したような処理を含むこの撮像装置全体の制御を行うようになっている。また、システムコントローラ１４は、操作部１３からの入力を受け付けて、基本制御プログラムに基づき、その入力に応じた制御を行うようになっている。さらに、システムコントローラ１４は、基本制御プログラムに基づき、電源状態判断部１２を介して電源部１１の状態を把握し、電源部１１を制御して全体の電源管理も行うようになっている。このシステムコントローラ１４が行う電源管理には、後述するように、ＥＶＦ表示部６における画素ずらしのモードを切り換える処理も含まれている。加えて、システムコントローラ１４は、フォーカスモータ駆動回路２５を介したフォーカス調整、ズームモータ駆動回路２６を介したズーム調整、絞り駆動回路２７を介した絞り調整、シャッタ駆動回路２８を介したシャッタ駆動などを行うようになっている。
【０１００】
次に、図２は、画素ずらし素子４４により４点画素ずらしを行う作用を説明するための図である。なお、この図２においては、偏光板３９，４１の図示を省略している
ここに、偏光スイッチング液晶４２ａ，４２ｂは、表示素子４０から入射して来る偏光光の偏光方向を、該偏光スイッチング液晶４２ａ，４２ｂに印加される電圧の有（オン）無（オフ）に応じて、回転しないまたは９０°回転する、という２つの状態をスイッチング制御することが可能な液晶部材である。
【０１０１】
また、複屈折板４３ａ，４３ｂは、偏光スイッチング液晶４２ａ，４２ｂから択一的に射出される２種類の偏光方向の偏光光の内の、一方の種類の偏光方向の偏光光については画素シフトしてから、他方の種類の偏光方向の偏光光については画素シフトすることなく、通過させるものである。なお、この画素シフトの量は、複屈折板４３ａ，４３ｂの材質による複屈折量と、複屈折板４３ａ，４３ｂの光軸方向の厚さと、に基づき所望の量となるように設定することが可能である。そして、一旦設定を行えば、安定した画素シフト量を得ることが可能である。
【０１０２】
より詳しくは、第１の複屈折板４３ａは、表示素子４０の垂直方向の画素ピッチの１／２の量だけ、表示素子４０からの光を垂直方向にシフトするような結晶方向に設定されている。そして、第１の複屈折板４３ａは、入射光の偏光方向が垂直である場合には１／２画素ピッチ分だけ画素シフトし、入射光の偏光方向が水平である場合には画素シフトしないように機能する。
【０１０３】
また、第２の複屈折板４３ｂは、表示素子４０の水平方向の画素ピッチの１／２の量だけ、表示素子４０からの光を水平方向にシフトするような結晶方向に設定されている。そして、第２の複屈折板４３ｂは、入射光の偏光方向が水平である場合には１／２画素ピッチ分だけ画素シフトし、入射光の偏光方向が垂直である場合には画素シフトしないように機能する。
【０１０４】
このような構成の２枚の複屈折板４３ａ，４３ｂと、２つの偏光スイッチング液晶４２ａ，４２ｂへの電圧印加のオン／オフの組合せとにより、４点画素ずらしを実現している。すなわち、以下に説明するように、偏光スイッチング液晶４２ａと複屈折板４３ａとの組み合わせが垂直方向への画素ずらし素子を構成し、偏光スイッチング液晶４２ｂと複屈折板４３ｂとの組み合わせが水平方向への画素ずらし素子を構成していて、これら２組の画素ずらし素子をさらに組み合わせることにより、図２（Ａ）に示すような画素位置Ａ、図２（Ｃ）に示すような画素位置Ｃ、図２（Ｂ）に示すような画素位置Ｂ、図２（Ｄ）に示すような画素位置Ｄ、の４位置の画素シフトを実現するようになっている。
【０１０５】
まず、図２（Ａ）は、表示素子４０からの光線が直進してシフトが行われず、画素位置Ａに到達する場合を示している。この状態は、第１の偏光スイッチング液晶４２ａの印加電圧をオフ、第２の偏光スイッチング液晶４２ｂの印加電圧をオフ、とすることにより達成される。すなわち、表示素子４０からの垂直な偏光方向の光が第１の偏光スイッチング液晶４２ａに到達すると、オフ状態の第１の偏光スイッチング液晶４２ａを通過する際に偏光方向が９０°回転され、水平な偏光方向の光となる。この水平な偏光方向の光は、第１の複屈折板４３ａに入射すると、画素シフトされることなくそのまま通過する。次に、この水平な偏光方向の光が第２の偏光スイッチング液晶４２ｂに到達すると、オフ状態の第２の偏光スイッチング液晶４２ｂを通過する際に偏光方向が９０°回転され、垂直な偏光方向の光となる。この垂直な偏光方向の光は、第２の複屈折板４３ｂに入射すると、画素シフトされることなくそのまま通過する。このようにして、画素位置Ａが達成される。
【０１０６】
次に、図２（Ｃ）は、表示素子４０からの光線が右方向にシフトされ、画素位置Ｃに到達する場合を示している。この状態は、第１の偏光スイッチング液晶４２ａの印加電圧をオフ、第２の偏光スイッチング液晶４２ｂの印加電圧をオン、とすることにより達成される。すなわち、表示素子４０からの垂直な偏光方向の光が第１の偏光スイッチング液晶４２ａに到達すると、オフ状態の第１の偏光スイッチング液晶４２ａを通過する際に偏光方向が９０°回転され、水平な偏光方向の光となる。この水平な偏光方向の光は、第１の複屈折板４３ａに入射すると、画素シフトされることなくそのまま通過する。次に、この水平な偏光方向の光が第２の偏光スイッチング液晶４２ｂに到達すると、オン状態の第２の偏光スイッチング液晶４２ｂを通過する際に偏光方向が回転されることなくそのまま通過する。この水平な偏光方向の光は、第２の複屈折板４３ｂに入射すると、１／２画素ピッチ分だけ水平右方向に画素シフトされる。このようにして、画素位置Ｃが達成される。
【０１０７】
続いて、図２（Ｂ）は、表示素子４０からの光線が下方向にシフトされ、画素位置Ｂに到達する場合を示している。この状態は、第１の偏光スイッチング液晶４２ａの印加電圧をオン、第２の偏光スイッチング液晶４２ｂの印加電圧をオン、とすることにより達成される。すなわち、表示素子４０からの垂直な偏光方向の光が第１の偏光スイッチング液晶４２ａに到達すると、オン状態の第１の偏光スイッチング液晶４２ａを通過する際に偏光方向が回転されることなくそのまま通過する。この垂直な偏光方向の光は、第１の複屈折板４３ａに入射すると、１／２画素ピッチ分だけ垂直下方向に画素シフトされる。次に、この垂直な偏光方向の光が第２の偏光スイッチング液晶４２ｂに到達すると、オン状態の第２の偏光スイッチング液晶４２ｂを通過する際に偏光方向が回転されることなくそのまま通過する。この垂直な偏光方向の光は、第２の複屈折板４３ｂに入射すると、画素シフトされることなくそのまま通過する。このようにして、画素位置Ｂが達成される。
【０１０８】
そして、図２（Ｄ）は、表示素子４０からの光線が右下方向にシフトされ、画素位置Ｄに到達する場合を示している。この状態は、第１の偏光スイッチング液晶４２ａの印加電圧をオン、第２の偏光スイッチング液晶４２ｂの印加電圧をオフ、とすることにより達成される。すなわち、表示素子４０からの垂直な偏光方向の光が第１の偏光スイッチング液晶４２ａに到達すると、オン状態の第１の偏光スイッチング液晶４２ａを通過する際に偏光方向が回転されることなくそのまま通過する。この垂直な偏光方向の光は、第１の複屈折板４３ａに入射すると、１／２画素ピッチ分だけ垂直下方向に画素シフトされる。次に、この垂直な偏光方向の光が第２の偏光スイッチング液晶４２ｂに到達すると、オフ状態の第２の偏光スイッチング液晶４２ｂを通過する際に偏光方向が９０°回転され、水平な偏光方向の光となる。この水平な偏光方向の光は、第２の複屈折板４３ｂに入射すると、１／２画素ピッチ分だけ水平右方向に画素シフトされる。このようにして、画素位置Ｄが達成される。
【０１０９】
このように、第１の偏光スイッチング液晶４２ａと第２の偏光スイッチング液晶４２ｂとに印加する電圧のオン／オフの組み合せにより、Ａ〜Ｄの４つの画素位置を選択することができる。
【０１１０】
なお、偏光スイッチング液晶４２ａ，４２ｂは、入射光の偏光方向を９０°回転するまたは回転しない、という２つの状態をスイッチング制御することが可能なものであれば、ＴＮ液晶や強誘電性液晶など、どのようなタイプの液晶を選択しても構わない。ただし、これらの内のＴＮ（Twisted Nematic）液晶は、一般に、入手し易く安価であってかつ性能が安定しているために、使用に適している。そこで本実施形態では、例えばこのＴＮ液晶を使用しているものとする。
【０１１１】
また、複屈折板４３ａ，４３ｂは、例えば、水晶（α−ＳｉＯ2 ）、ニオブ酸リチウム（ＬｉＮｂＯ3 ）、ルチル（ＴｉＯ2 ）、方解石（ＣａＣｏ3 ）、チリ硝石（ＮａＮｏ3 ）、ＹＶＯ4 等の異方性結晶を用いて板状に構成されたものである。材料が安価であるという観点からは水晶を用いることが望ましいが、小型化を図るという観点からは屈折率の高いニオブ酸リチウムを用いるようにしても良い。
【０１１２】
さらに、光の透過率の向上を図ったり、あるいはゴーストやフレアーにより画質が劣化するのを防止したりするために、偏光スイッチング液晶４２ａ，４２ｂや複屈折板４３ａ，４３ｂの表面に反射防止のコーティングを施すようにしても良い。
【０１１３】
次に、上述したような画素ずらし素子４４を用いて、画像の高画素化（高解像度化）表示をどのように行うかについて説明する。
【０１１４】
まず、内蔵メモリ９に記憶されている画像情報（撮像部１により撮像されて画像処理回路２により処理された画像情報であっても良いし、着脱メモリ８から読み出され、圧縮伸張部３により伸張され、画像処理回路２により処理された画像情報であっても良い）を、画素ずらし制御部３１ａにより表示素子４０の４倍の画素数（４点画素ずらしの場合）の画像情報に変換する。次に、画素ずらし制御部３１ａは、変換した画像情報を、さらに各画素位置Ａ〜Ｄに表示するための４つのサブフレーム画像に分割して、画素位置Ａのサブフレーム画像をサブフレームメモリ３２ａに、画素位置Ｂのサブフレーム画像をサブフレームメモリ３２ｂに、画素位置Ｃのサブフレーム画像をサブフレームメモリ３２ｃに、画素位置Ｄのサブフレーム画像をサブフレームメモリ３２ｄに、それぞれ記憶させる。次に、画素ずらし制御部３１ａは、画素位置Ａ→Ｃ→Ｂ→Ｄの順にサブフレーム画像を表示させるように表示素子駆動回路３４を介して表示素子４０を駆動するとともに、ＳＷ液晶駆動回路３５を介して偏光スイッチング液晶４２ａ，４２ｂを制御することにより画素位置Ａ→Ｃ→Ｂ→Ｄの順に光線シフト（画素ずらし）を行わせる。すなわち、画素位置Ａのサブフレーム画像が表示されているときに同期して画素位置Ａの画素ずらしを行わせ、画素位置Ｂのサブフレーム画像が表示されているときに同期して画素位置Ｂの画素ずらしを行わせ、画素位置Ｃのサブフレーム画像が表示されているときに同期して画素位置Ｃの画素ずらしを行わせ、画素位置Ｄのサブフレーム画像が表示されているときに同期して画素位置Ｄの画素ずらしを行わせることになる。
【０１１５】
ところで、一般に、液晶には温度特性があることが知られており、例えば応答速度に関する温度特性として、低温時に応答速度が遅く、高温時に応答速度が速いことが挙げられる。このような温度特性の下では、表示素子４０と偏光スイッチング液晶４２ａ，４２ｂの動作タイミングが変化することになり、設計通りの性能が出ないことが懸念される。特にデジタルカメラやデジタルビデオカメラのような屋外で使用する可能性がある製品は、低温の環境で使用されることもあり得る。
【０１１６】
そこで、画素ずらし素子４４の近傍に、該画素ずらし素子４４の特性を検出するためのスイッチング液晶センサユニット４６を設けて、画素ずらし制御部３１ａが、検出された特性に応じて画素ずらし素子４４および表示素子４０の制御を行うようにしている。すなわち、画素ずらし制御部３１ａは、スイッチング液晶センサユニット４６の出力に基づいて偏光スイッチング液晶４２ａ，４２ｂの状態をリアルタイムに把握し、把握している状態に応じて偏光スイッチング液晶４２ａ，４２ｂの駆動タイミングと表示素子４０の表示タイミングとを制御することにより、偏光スイッチング液晶４２ａ，４２ｂの温度が変化したときにも高品質の画質を維持するようにしている。
【０１１７】
ここに、スイッチング液晶センサユニット４６は、光源と、光源を偏光光に変換するための偏光板と、受光素子（フォトダイオード：ＰＤ）と、を含んで構成されている。そして、光源と受光素子とは、偏光スイッチング液晶４２ａ，４２ｂを挟み込むように配置されている。このような構成により、偏光スイッチング液晶４２ａ，４２ｂの駆動状態（印加電圧の状態）に対応して、受光素子の受光量が変動するように構成されていて、この受光量をモニターすることにより、偏光スイッチング液晶４２ａ，４２ｂの応答特性を常時把握することができるようになっている。
【０１１８】
なお、図１においては、光学的な測定を行うスイッチング液晶センサユニット４６を設ける例を示したが、このスイッチング液晶センサユニット４６に代えて、またはこのスイッチング液晶センサユニット４６に加えてさらに、温度センサを画素ずらし素子４４の近傍等に配設して、測定した温度に対応して偏光スイッチング液晶４２ａ，４２ｂの駆動タイミングを調整するように構成しても良い（この温度センサを設ける技術の詳細については、上述した特開平１１−３２６８７７号公報等を参照）。
【０１１９】
また、本実施形態は、ＲＧＢ各色の照明に同期してモノクロタイプの表示素子４０にＲＧＢ各色の画像表示を行わせることにより、Ｒ画像とＧ画像とＢ画像とを時間的に重畳してカラー画像を得る方式（色面順次表示方式）をとっている。すなわち、１画素位置のサブフレーム画像は、Ｒサブフレーム画像とＧサブフレーム画像とＢサブフレーム画像とにより構成されていることになる。このために、各画素位置において、光源部３７と表示素子４０とのタイミングを合わせる必要もある。
【０１２０】
このような画素ずらし表示のタイミングについて、図３を参照して説明する。図３は、４点画素ずらしモードにおける光源部３７と表示素子４０と偏光スイッチング液晶４２ａ，４２ｂとの駆動を示すタイミングチャートである。
【０１２１】
この図３において、図３（Ａ）は光源部３７における赤色（Ｒ）ＬＥＤ３７ｒと緑色（Ｇ）ＬＥＤ３７ｇと青色（Ｂ）ＬＥＤ３７ｂとの各駆動波形を、図３（Ｂ）は表示素子４０の切り換え波形を、図３（Ｃ）は第１の偏光スイッチング液晶４２ａの切り換え波形を、図３（Ｄ）は第２の偏光スイッチング液晶４２ｂの切り換え波形を、図３（Ｅ）は基準信号を、図３（Ｆ）は画素シフトによる画素位置を、それぞれ示している。
【０１２２】
この図３に示す駆動においては、各画素位置ＡＣＢＤの内の任意の一画素位置は２４０Ｈｚの周期（サブフレーム周期）で表示され、４つの画素位置ＡＣＢＤを順に経て一巡する４点画素ずらしの１周期（フレーム周期）は６０Ｈｚとなるように制御されている。
【０１２３】
画素ずらし制御部３１ａは、タイミングジェネレータ５から入力されるタイミング信号に基づいて、例えば２４０Ｈｚの垂直同期信号を画素ずらし動作時に同期をとるための基準信号として図３（Ｅ）に示すように生成する。このように画素ずらし用の基準信号を撮像用の基準信号と共用することにより、撮像のタイミングに対応した画像表示を行うことが可能となり、撮像のタイミングと表示のタイミングとにずれが生じるのを防止することができる。なお、ここでは、タイミングジェネレータ５から発生されるタイミング信号に基づき画素ずらし制御部３１ａが基準信号を生成するようにしたが、この基準信号が撮像のためのタイミングと合致しない場合には、画素ずらし制御部３１ａが新たなタイミング信号を作成するようにしても良い。
【０１２４】
上述したように、本実施形態においては色面順次表示方式を採用しているために、画素ずらし制御部３１ａは、１つの画素位置において、光源駆動回路３３を介して光源部３７を制御することにより、Ｒ色の光を発光させるのに同期してＲサブフレーム画像を表示素子４０に表示させ、Ｇ色の光を発光させるのに同期してＧサブフレーム画像を表示素子４０に表示させ、Ｂ色の光を発光させるのに同期してＢサブフレーム画像を表示素子４０に表示させるようにしている（図３（Ａ）、図３（Ｂ）参照）。サブフレームは上述したように基準信号に同期して２４０Ｈｚで表示されるために、各色サブフレーム、すなわち、Ｒサブフレーム、Ｇサブフレーム、Ｂサブフレームは、例えば７２０Ｈｚ（実際には、光源の光量の相違等に起因して、等分の時間表示されるとは限らない。）で表示されることになる（ただし、１つの色に着目したときに、その色のサブフレームが表示される周期は、２４０Ｈｚであり、つまり１／２４０秒に１回である。）。
【０１２５】
なお、ここでは１フレームを６０Ｈｚとし、各色サブフレームを７２０Ｈｚで表示しているが、１フレームを３０Ｈｚとし、各色サブフレームを３６０Ｈｚで表示することも可能である。ただし、カラーブレーキング（色割れ）現象を低減する観点から、そして、画素ずらしによる画像の振動感やフリッカー感を低減する観点からは、各色サブフレームを４８０Ｈｚ以上とすることが望ましい。従って、ここでは、各色サブフレームを７２０Ｈｚとしたものである。
【０１２６】
こうして、１フレームの画像情報は、画素位置ＡのＲサブフレームＲａ１，ＧサブフレームＧａ１，ＢサブフレームＢａ１、画素位置ＣのＲサブフレームＲｃ１，ＧサブフレームＧｃ１，ＢサブフレームＢｃ１、画素位置ＢのＲサブフレームＲｂ１，ＧサブフレームＧｂ１，ＢサブフレームＢｂ１、画素位置ＤのＲサブフレームＲｄ１，ＧサブフレームＧｄ１，ＢサブフレームＢｄ１などの順に表示される（図３（Ｆ）および図３（Ｂ）参照）。
【０１２７】
なお、サブフレームメモリ３２の更新は適用的に行うことができる。すなわち、記録モード等において６０Ｈｚ単位でフレームを切り換える必要がある場合（例えば、スルー画像を表示する場合など）には、サブフレームメモリ３２をフレーム単位で更新するが、再生モード等であって画像をフレーム単位で切り換える必要がない場合（例えば、静止画像を表示する場合など）には、サブフレームメモリ３２を更新することなく画像情報を保持したまま同一の表示を行うようにしても構わない。
【０１２８】
なお、本実施形態においては、図３（Ｆ）に示すように、画素位置をＡ→Ｃ→Ｂ→Ｄの順にシフトするようにしているために、第１の偏光スイッチング液晶４２ａはサブフレーム単位でオフ→オフ→オン→オンの順に駆動し、第２の偏光スイッチング液晶４２ｂはサブフレーム単位でオフ→オン→オン→オフの順に駆動することになる。すなわち、図２を照合すれば分かるように、第１の偏光スイッチング液晶４２ａと第２の偏光スイッチング液晶４２ｂとの駆動状態の組み合わせが、サブフレーム単位で、（オフ，オフ）、（オフ，オン）、（オン，オン）、（オン，オフ）となる。
【０１２９】
上述したように、本実施形態においては、偏光スイッチング液晶４２ａ，４２ｂとしてＴＮ液晶を用いているが、このＴＮ液晶は電圧をオンしたときとオフしたときとで応答特性が異なっていることが知られている。すなわち、図３（Ｃ）や図３（Ｄ）の駆動状態を見れば分かるように、オンからオフになるときには駆動状態の変化が比較的緩やかであり、オフからオンになるときには駆動状態の変化が比較的急峻である。従って、表示素子４０の表示タイミングに対応して、画素ずらし素子４４に狙いの動作を行わせるためには、このような偏光スイッチング液晶４２ａ，４２ｂの応答速度を考慮して、各駆動波形を決定する必要がある。こうしてここでは、図３（Ｅ）に示す基準信号の立ち上がり時点で、偏光スイッチング液晶４２ａ，４２ｂの駆動状態が中間の状態になるように、基準信号に対する駆動波形を画素ずらし制御部３１ａにより遅延（実際は前側に）調整している（図３（Ｃ）および図３（Ｄ）に示すような、各偏光スイッチング液晶４２ａ，４２ｂの駆動状態と駆動波形との関係を参照）。
【０１３０】
このようにして、基準信号に対して、光源部３７のＲＧＢ照明、表示素子４０、偏光スイッチング液晶４２ａ，４２ｂを、上述したようなタイミングで駆動することにより、色面順次表示を行いながら、かつ４点画素ずらし（表示素子４０の４倍の画素数の表示）を実現するようにしている。
【０１３１】
そして、上述したような４点画素ずらしを行うためには、表示素子４０の４倍の画素数の画像情報を扱う必要があり、画像処理回路２により処理する画素数も、表示素子４０に通常のフレーム画像を表示する場合に比して４倍となる（すなわち、画像処理回路２の負荷が例えば４倍となる）。さらに、表示素子４０も通常のフレームレートである６０Ｈｚの４倍のサブフレームレート２４０Ｈｚで駆動する必要がある。このような処理画素数が４倍となったり処理速度が４倍必要であったりする事情は、その他の関連する各回路においても同様である。従って、画素ずらし表示を行う場合には、画素ずらし表示を行わない場合に比して、消費電力が増してしまうことになる。バッテリ駆動をする画像表示装置が、特にデジタルカメラ等の撮像装置である場合には、主たる機能は撮像することであるために、撮像するのに支障を来すほどの電力消費を画像表示側で行うことは望ましくない。従って、画素ずらし動作を必要最低限に抑制する必要が生じてくる。このような観点から、画素ずらし動作を制御するようにしたのが、本実施形態となっているが、これについては後で詳しく説明する。
【０１３２】
なお、上述では、モノクロタイプの表示素子４０を用いた色面順次表示方式を説明したが、もちろんこれに限るものではない。ここで、図４を参照して、カラータイプの表示素子、すなわち、例えば原色ベイヤー配列のカラーフィルタが配設されている表示素子を用いて、画素ずらし表示を行う例について説明する。図４は、４点画素ずらしモードにおけるカラー表示素子と偏光スイッチング液晶４２ａ，４２ｂとの駆動を示すタイミングチャートである。
【０１３３】
この場合には、光源部は白色の面光源であれば良く、この光源部の点灯状態も常時点灯で構わないために、図４においては光源駆動波形の図示を省略している。すなわち、この図４において、図４（Ａ）はカラー表示素子の切り換え波形を、図４（Ｂ）は第１の偏光スイッチング液晶４２ａの切り換え波形を、図４（Ｃ）は第２の偏光スイッチング液晶４２ｂの切り換え波形を、図４（Ｄ）は基準信号を、図４（Ｅ）は画素シフトによる画素位置を、それぞれ示している。
【０１３４】
この図４に示すタイミングチャートにおいて、図３に示したタイミングチャートと異なる部分は、カラー表示素子の駆動をサブフレーム単位で行えば良く、１つのサブフレーム内において各色に時分割する必要がない点である。従って、画素位置Ａの画素ずらしが行われるときに該画素位置Ａに対応したサブフレーム画像Ａ１が表示され、画素位置Ｃの画素ずらしが行われるときに該画素位置Ｃに対応したサブフレーム画像Ｃ１が表示され、画素位置Ｂの画素ずらしが行われるときに該画素位置Ｂに対応したサブフレーム画像Ｂ１が表示され、画素位置Ｄの画素ずらしが行われるときに該画素位置Ｄに対応したサブフレーム画像Ｄ１が表示される。そして、それ以外の部分は、図３に示したタイミングチャートと基本的に同様である。
【０１３５】
このように、カラー表示素子を用いても、モノクロ表示素子を用いて色面順次表示を行ったときと同様に、画素ずらし表示を行うことができる。
【０１３６】
次に、図５は、２点画素ずらしモードにおける光源部３７と表示素子４０と偏光スイッチング液晶４２ａ，４２ｂとの駆動を示すタイミングチャートである。
【０１３７】
この２点画素ずらしは、例えば画素位置Ａと画素位置Ｄとの斜め方向にある２つの画素位置のみの画素ずらしを行うものとなっている。従って、画素ずらし制御部３１ａは、内蔵メモリ９に記憶されている画像情報から、表示素子４０の画素数の２倍の画素数の画像情報を生成し（４画の画素数の画像情報を生成するよりも消費電力が小さくなる利点がある）、さらにこの画像情報を、画素位置Ａに対応するサブフレーム画像と、画素位置Ｄに対応するサブフレーム画像とに分割して、サブフレームメモリ３２ａとサブフレームメモリ３２ｄとにそれぞれ記憶させるようになっている。そして、画素ずらし制御部３１ａは、画素位置Ａ→Ｄの順にサブフレーム画像を表示させるように表示素子駆動回路３４を介して表示素子４０を駆動するとともに、ＳＷ液晶駆動回路３５を介して偏光スイッチング液晶４２ａ，４２ｂを制御することにより画素位置Ａ→Ｄの順に光線シフト（画素ずらし）を行わせる。このような画素ずらしは、第２の偏光スイッチング液晶４２ｂを常時オフにしたまま、第１の偏光スイッチング液晶４２ａをオフ→オンの順に駆動することにより、達成される。
【０１３８】
このとき、サブフレーム周期を２４０Ｈｚのままとする場合には、フレーム周期は１２０Ｈｚとなるが、何らかの工夫を凝らさないと、このままでは２倍速表示となってしまう。そこで、通常の速度で表示を行うためには、例えば次のような２つの方法が考えられる。１つ目の方法は、サブフレーム周期を１２０Ｈｚとすることにより、フレーム周期を６０Ｈｚにする方法である。このときには、光源部３７や表示素子４０の駆動も、１２０Ｈｚのサブフレーム周期に合わせて行うことになる。また、２つ目の方法は、サブフレーム周期は２４０Ｈｚのままとして、第１のサブフレームと第３のサブフレームとで同一の画素位置Ａのサブフレーム画像を表示し、第２のサブフレームと第４のサブフレームとで同一の画素位置Ｄのサブフレーム画像を表示する方法である。この場合にも、フレーム周期を６０Ｈｚとすることができる。これらの２つの方法の何れを採用しても構わないが、後者の方法をとる方が、４点画素ずらしとの整合性が高いために、制御を複雑にする必要がないという利点がある。
【０１３９】
この２点画素ずらしモードにおいては、画像処理回路２が処理する画素数が４点画素ずらしのときの半分となり、さらに第２の偏光スイッチング液晶４２ｂをオフのままとすることができるために、４点画素ずらしモードに比して消費電力をかなり削減することができる利点がある。
【０１４０】
なお、上述では、２点の画素位置として、画素位置Ａと画素位置Ｄとを選択しているが、これに限らず、画素位置Ｂと画素位置Ｃ（逆斜め）とを選択しても良いし、画素位置Ａと画素位置Ｃ（水平方向）、画素位置Ｂと画素位置Ｄ（水平方向）、画素位置Ａと画素位置Ｂ（垂直方向）、画素位置Ｃと画素位置Ｄ（垂直方向）、を選択するようにしても構わない。何れを選択するかは、どの方向に表示画像の解像度（画素数）を向上したいかに応じて決定すれば良い。
【０１４１】
次に、図６はＬＰＦモードにおける光源部３７と表示素子４０と偏光スイッチング液晶４２ａ，４２ｂとの駆動を示すタイミングチャートである。
【０１４２】
このＬＰＦモードは、画素ずらし素子４４は４点画素ずらしを行うときと同様に駆動するが、表示素子４０に表示する画像をフレーム単位（６０Ｈｚ単位）のフレーム画像とするモードである。従って、４つのサブフレームにおいて、同一のフレーム画像が表示されることになる。このＬＰＦモードにおいては、画素ずらし制御部３１ａは、内蔵メモリ９に記憶されている画像情報から、表示素子４０の画素数と同一の画素数の画像情報を生成し、さらにこの画像情報を、何れか１つのサブフレームメモリ、または全てのサブフレームメモリ３２ａ〜３２ｄに記憶させるようになっている。ここに、画像情報を全てのサブフレームメモリ３２ａ〜３２ｄに記憶させる場合には、４点画素ずらしと同様の制御により画像を表示することができる利点があり、画像情報を１つのサブフレームメモリにのみ記憶させる場合には画像の転送時間等を少し短くすることができる利点がある。
【０１４３】
そして、４つのサブフレームにおいて、同一のフレーム画像を表示素子４０に表示する点を除いては、ＥＶＦ表示部６の動作は図３に示した４点画素ずらしのときと同様である。
【０１４４】
このＬＰＦモードにおいては、画像処理回路２が処理する画素数が４点画素ずらしのときの１／４となるために、画像処理や画像転送に要する消費電力等を大幅に削減することができる利点がある。そして、このＬＰＦモードは、画素ずらしオフモードのときよりも、画素が表示されない部分の面積が減少し（見かけの開口率が向上し）、かつ表示レートが高くフリッカ等の影響を受け難いために、表示される画像の品質が向上する利点がある。
【０１４５】
さらに、ＥＶＦ表示部６は、部分画素ずらしモードで動作することができるようになっている。この部分画素ずらしモードは、画面全体について画素ずらしを行うのではなく、画面の一部についてのみ画素ずらし（本実施形態においては、例えば４点画素ずらしまたは２点画素ずらし）を行うモードとなっている。このときには、画面全体としてはＬＰＦモードと同様の動作を行う（動作の流れは、図６とほぼ同様である）。ただし、表示素子４０に表示する画像が、サブフレーム毎に部分的に異なる画像となる点が異なっている。すなわち、高精細な表示を行う部分（画面の一部分であって、後述するように空間周波数解析を行った結果、高周波成分があると判定された部分）についてのみ、４点画素ずらしの場合には画素位置Ａ，Ｃ，Ｂ，Ｄに対応する画像データを生成する。そして、この部分的に異なるサブフレーム画像を表示素子４０に表示することにより、全体としてはＬＰＦモードの表示であって、部分的に例えば４点画素ずらしの表示を行うことができるようになっている。この場合に、１フレームに対して処理しなければならない画像データは、（表示素子４０の画素数）＋（４−１）×（１サブフレームに表示する画素ずらし対象部分の画素数）となるために、画素ずらし対象部分が大きくない場合には、処理の負荷をあまり増やすことなく、高精細な画像を表示することができる利点があるモードとなっている。
【０１４６】
加えて、ＥＶＦ表示部６は、画素ずらしオフモードでも動作することができるようになっている。この画素ずらしオフモードも、種々の方法により行うことができるが、ここでは２つの例を挙げておく。まず、何れの方法においても、偏光スイッチング液晶４２ａ，４２ｂはオフのままとする。そして、第１の方法は、６０Ｈｚを周期とする１フレームにおいて、光源部３７をＲＧＢ各色毎に１８０Ｈｚの期間ずつ点灯させ、Ｒ色の点灯期間に１フレームに係るＲフレームを表示素子４０に表示し、Ｇ色の点灯期間に１フレームに係るＧフレームを表示素子４０に表示し、Ｂ色の点灯期間に１フレームに係るＢフレームを表示素子４０に表示する方法である。第２の方法は、図６に示したＬＰＦモードの動作を基本的にそのまま採用し、ただし偏光スイッチング液晶４２ａ，４２ｂのみ駆動をオフにする方法である。前者の方法の方が駆動周期が長く消費電力をより低減することができる利点があるが、後者の方法の方が４点画素ずらしとの整合性が高いために制御を複雑にすることがなくかつフリッカ等の影響もより低減することができる利点がある。
【０１４７】
なお、上述では、内蔵メモリ９に記憶されている画像情報から、４点画素ずらしモードに応じた画素数、２点画素ずらしモードに応じた画素数、部分画素ずらしモードに応じた画素数、ＬＰＦモードおよび画素ずらしオフモードに応じた画素数、の画像情報をそれぞれ生成するようにしていたが、これに代えて、全てのモードにおいて４点画素ずらしモードに応じた画素数の画像情報（つまり、画素位置Ａ〜Ｄの画像情報）をまず生成し、２点画素ずらしモード時にはこれらの内の例えば画素位置Ａ，Ｄの画像情報のみを用い、ＬＰＦモードおよび画素ずらしオフモード時には例えば画素位置Ａの画像情報（あるいは画素位置Ａ〜Ｄの平均をとった画像情報）のみを用いるようにしても構わない。ただし、このときでも、消費電力を低減するために、各種の画像処理を使用する画像情報に対してのみ行うことが望ましい。そして、このような処理を行う場合には、他の画素ずらしモードへの移行が容易になるという利点がある。
【０１４８】
これらの各画素ずらしモードは、システムコントローラ１４内の画素ずらし表示判断部１４ａが、電源状態や、操作部１３を介したユーザの指示、再生する画像が動画像であるか静止画像であるか、等に応じて適切なモードを選択し、ＥＶＦ表示制御部３１を介してＥＶＦ表示部６に設定し動作させるようになっている。この制御については、後で詳細に説明する。
【０１４９】
次に、図７は、撮像装置が使用されている状態にあるか否かを検出する構成の配置を示す平面図である。
【０１５０】
この撮像装置は、本体５１の正面中央部からレンズ鏡筒５２を突設し、また、本体５１の右側には例えば右手で撮像装置を把持するためのグリップ部５３が配設されている。そして、本体５１の上面には、ＥＶＦ表示部６が設けられている。
【０１５１】
本体５１の上面の、グリップ部５３を把持する右手の例えば人差指で押圧可能な位置には、操作部１３を構成するレリーズボタン１３ａが配設されている。このレリーズボタン１３ａは、例えば２段式の押圧ボタンとして構成されていて、１段目の押圧によりＡＦ動作やＡＥ動作が行われ、２段目の押圧により撮像が行われるようになっている。そして、このレリーズボタン１３ａの押圧状態を検出することにより、ユーザが撮像装置を操作して撮像を行おうとしているか否かを判別することが可能となっている（例えば、上述した特開平２−１１２１２０号公報参照）。また、グリップ部５３自体にセンサ（検知手段）を配置して、ユーザがグリップ部５３を把持しているか否かを検出するようにしても構わない（例えば、上述した特開平５−２０７３３９号公報参照）。
【０１５２】
また、レンズ鏡筒５２には操作部１３を構成するフォーカスリング１３ｂが配設されていて、このフォーカスリング１３ｂの回転状態を検出することにより、ユーザが撮像装置を操作してフォーカシングを手動で行おうとしているか否かを判別することが可能となっている（例えば、特開平９−１８７６９号公報参照）。
【０１５３】
さらに、ＥＶＦ表示部６の接眼光学系４５の近傍には、上述した接眼検知ユニット３６が配設されている。この接眼検知ユニット３６は、ユーザがＥＶＦ表示部６を介して観察を行っているか否かを判別するためのものである（例えば、上述した特開平５−２０７３３９号公報参照）。
【０１５４】
このようなユーザの使用状態の検出結果は、後述するように、画素ずらしモードを設定して消費電力の低減を図る際に用いられるようになっている。
【０１５５】
次に、図８〜図１５を参照して、この撮像装置において、画素ずらしに係る表示モードを制御することにより、消費電力の低減を図る作用について説明する。
【０１５６】
まず、図８は、撮像装置における電源状態や温度に応じた動作の分岐を示すフローチャートである。
【０１５７】
この処理を開始すると、まず、電源状態判断部１２からの出力に基づき、システムコントローラ１４の画素ずらし表示判断部１４ａが、電源部１１が電池から電力を供給されているか（この撮像装置が電池駆動であるか）、または外部電源から電力を供給されているか（この撮像装置が外部電源駆動であるか）を判定する（ステップＳ１）。
【０１５８】
ここで、電池駆動ではないと判定された場合、つまり外部電源により駆動されていると判定された場合には、センサ７からの出力に基づき、正常温度であると判定される所定の閾値と比較することにより、正常温度であるか否かを判定する（ステップＳ２）。
【０１５９】
ここで、正常温度であると判定された場合には、後述する外部電源動作を行う（ステップＳ３） 。
【０１６０】
また、ステップＳ２において、正常温度でないと判定された場合には、正常温度範囲を超えた所定温度αと比較して、センサ７により検出されている温度がこの所定温度α未満であるか否かを判定する（ステップＳ４）。
【０１６１】
ここで、所定温度α未満であると判定された場合には、後述する電池通常動作を行う（ステップＳ５）。
【０１６２】
また、ステップＳ４において、所定温度α以上であると判定された場合には、次に、αよりも大きい所定温度β（つまり、α＜βを満たす）未満であるか否かを判定する（ステップＳ６）。
【０１６３】
ここで、所定温度β未満であると判定された場合には、後述する第１省エネルギー動作（第１省エネ動作と略称する）を行う（ステップＳ７）。
【０１６４】
また、ステップＳ６において、所定温度β以上であると判定された場合には、次に、βよりも大きい所定温度γ（つまり、α＜β＜γを満たす）未満であるか否かを判定する（ステップＳ８）。
【０１６５】
ここで、所定温度γ未満であると判定された場合には、後述する第２省エネルギー動作（第２省エネ動作と略称する）を行う（ステップＳ９）。
【０１６６】
また、ステップＳ８において、所定温度γ以上であると判定された場合には、上述したような画素ずらしオフの動作を行う（ステップＳ１０）。
【０１６７】
一方、上述したステップＳ１において、電池駆動であると判定された場合には、画素ずらし表示判断部１４ａは、電源状態判断部１２からの出力に基づき、電池残量がステップＳ５の電池通常動作を行うに支障のない所定値Ａ以上であるか否かを判定する（ステップＳ１１）。
【０１６８】
ここで、電池残量が所定値Ａ以上であると判定された場合には、さらに、センサ７からの出力に基づき、正常温度であるか否かを判定する（ステップＳ１２）。
【０１６９】
ここで、正常温度であると判定された場合には、上記ステップＳ５へ行って、後述する電池通常動作を行う。
【０１７０】
また、ステップＳ１２において、正常温度でないと判定された場合には、上述した所定温度β未満であるか否かを判定する（ステップＳ１３）。
【０１７１】
ここで、所定温度β未満であると判定された場合には、上記ステップＳ７へ行って、後述する第１省エネ動作を行う。
【０１７２】
また、ステップＳ１３において、所定温度β以上であると判定された場合には、次に、上述した所定温度γ未満であるか否かを判定する（ステップＳ１４）。
【０１７３】
ここで、所定温度γ未満であると判定された場合には、上記ステップＳ９へ行って、後述する第２省エネ動作を行う。
【０１７４】
また、ステップＳ１４において、所定温度γ以上であると判定された場合には、上記ステップＳ１０へ行って、画素ずらしオフの動作を行う。
【０１７５】
さらに、上述したステップＳ１１において、電池残量が所定値Ａ未満であると判定された場合には、画素ずらし表示判断部１４ａは、電源状態判断部１２からの出力に基づき、電池残量がステップＳ７の第１省エネ動作を行うに支障のない所定値Ｂ（ここに、Ａ＞Ｂを満たす）以上であるか否かを判定する（ステップＳ１５）。
【０１７６】
ここで、電池残量が所定値Ｂ以上であると判定された場合には、さらに、センサ７からの出力に基づき、正常温度であるか否かを判定する（ステップＳ１６）。
【０１７７】
ここで、正常温度であると判定された場合には、上記ステップＳ７へ行って、後述する第１省エネ動作を行う。
【０１７８】
また、ステップＳ１６において、正常温度でないと判定された場合には、上述した所定温度γ（未満であるか否かを判定する（ステップＳ１７）。
【０１７９】
ここで、所定温度γ未満であると判定された場合には、上記ステップＳ９へ行って、後述する第２省エネ動作を行う。
【０１８０】
また、ステップＳ１７において、所定温度γ以上であると判定された場合には、上記ステップＳ１０へ行って、画素ずらしオフの動作を行う。
【０１８１】
そして、上述したステップＳ１５において、電池残量が所定値Ｂ未満であると判定された場合には、さらに、センサ７からの出力に基づき、正常温度であるか否かを判定する（ステップＳ１８）。
【０１８２】
ここで、正常温度であると判定された場合には、上記ステップＳ９へ行って、後述する第２省エネ動作を行う。
【０１８３】
また、ステップＳ１８において、正常温度でないと判定された場合には、上記ステップＳ１０へ行って、画素ずらしオフの動作を行う。
【０１８４】
ステップＳ５の電池通常動作を行っているときには、一定時間間隔で、無操作のまま所定時間が経過したか否かを監視している（ステップＳ１９）。そして、所定時間がまだ経過していないときは、ステップＳ５の電池通常動作を継続して行う。
【０１８５】
同様に、ステップＳ７の第１省エネ動作を行っているときには、一定時間間隔で、無操作のまま所定時間が経過したか否かを監視している（ステップＳ２０）。そして、所定時間がまだ経過していないときは、ステップＳ７の第１省エネ動作を継続して行う。
【０１８６】
同様に、ステップＳ９の第２省エネ動作を行っているときには、一定時間間隔で、無操作のまま所定時間が経過したか否かを監視している（ステップＳ２１）。そして、所定時間がまだ経過していないときは、ステップＳ９の第２省エネ動作を継続して行う。
【０１８７】
そして、ステップＳ１９、ステップＳ２０、またはステップＳ２１において、所定時間が経過したと判定された場合には、上記ステップＳ１０へ行って、画素ずらしオフの動作を行う。なお、ステップＳ１９、ステップＳ２０、ステップＳ２１における所定時間は、それぞれ異なる所定時間であってももちろん構わない。さらに、ステップＳ１９、ステップＳ２０、およびステップＳ２１における所定時間は、この撮像装置が無操作のときにスタンバイモードへ自動的に移行するための所定時間よりは短い時間であることはもちろんである。
【０１８８】
なお、無操作のときに画素ずらしオフへ移行する目安となる所定時間は、表示部４やＥＶＦ表示部６にメニューを表示して、このメニューから操作部１３を介してユーザーが選択することができるように構成されている。
【０１８９】
また、画素ずらしオフモードに移行した後に、何らかの操作が行われた場合には、画素ずらしオフモードに移行する前の表示モードに戻るようにしても良い。また、この画素ずらしオフモード時にも、後述するユーザ設定割り込み処理（図１５参照）は有効であるために、ユーザが所望する表示モードに移行することが可能である。
【０１９０】
次に、図９は、図８のステップＳ３における外部電源動作の詳細を示すフローチャートである。
【０１９１】
この処理を開始すると、ＥＶＦ表示部６の表示モードを、図２や図３（表示素子がカラー表示素子である場合には図４）に示したような４点画素ずらしモードに設定する（ステップＳ３１）。
【０１９２】
その後、この撮像装置に係る撮像した画像の記録処理や、再生処理などを行う（ステップＳ３２）。
【０１９３】
このように、外部電源により正常温度で動作しているときには、ＥＶＦ表示部６は常時４点画素ずらしを行って、高精細な画像を観察することができるようになっている。
【０１９４】
続いて、図１０は、図８のステップＳ５における電池通常動作の詳細を示すフローチャートである。
【０１９５】
この処理を開始すると、まず、この撮像装置の動作モードが、再生モードであるか記録モードであるかを判定する（ステップＳ４１）。
【０１９６】
ここで記録モードであると判定された場合には、後述する第１記録モード処理を行って（ステップＳ４２）、その後はステップＳ４１の処理へ戻る。
【０１９７】
また、ステップＳ４１において、再生モードであると判定された場合には、再生しようとする画像が、静止画像であるか動画像であるかを判定する（ステップＳ４３）。
【０１９８】
ここで、静止画像であると判定された場合には、システムコントローラ１４が例えば圧縮伸張部３を制御することにより画像の空間周波数解析を行う（ステップＳ４４）。なお、圧縮伸張部３は、画像を圧縮／伸張する際にＤＣＴ変換やウェーブレット変換などの空間周波数に係る変換処理を行うために、ここではこの圧縮伸張部３により空間周波数解析を行うようにしたが、これに代えて、画像処理回路２により行っても良いし、あるいは空間周波数解析専用の回路を設けて行っても構わないし、さらにあるいはシステムコントローラ１４自体が空間周波数解析を行うようにしても良い。
【０１９９】
そして、ステップＳ４４における空間周波数解析の結果に基づいて、画像中に高周波成分があるか否かを判定する（ステップＳ４５）。
【０２００】
ここで、高周波成分があると判定された場合には、ＥＶＦ表示部６を４点画素ずらしモードに設定して、高精細な画像を観察可能とする（ステップＳ４６）。
【０２０１】
また、ステップＳ４５において、高周波成分がないと判定された場合には、ＥＶＦ表示部６を２点画素ずらしモードに設定して、省電力を図りながらある程度の高精細な画像を観察することができるようにする（ステップＳ４７）。
【０２０２】
一方、ステップＳ４３において、再生しようとする画像が静止画像でなく動画像であると判定された場合には、画像処理回路２またはシステムコントローラ１４により動画像の動き検出を行う（ステップＳ４８）。この動き検出は、動画像中に動きの速い被写体が含まれているか否かを検出する処理であり、公知の検出技術を用いることが可能である。
【０２０３】
そして、ステップＳ４８における動き検出の結果に基づいて、動きの速い被写体が動画像中にあるか否かを判定し（ステップＳ４９）、動きの速い被写体がないと判定された場合には、上記ステップＳ４７へ行って、２点画素ずらしにより動画像の表示を行う。
【０２０４】
また、ステップＳ４９において、動きの速い被写体があると判定された場合には、ＥＶＦ表示部６をＬＰＦモードに設定して、画像処理を高速に行うことができるようにする（ステップＳ５０）。
【０２０５】
このように、電池通常動作を行っているときには、高周波成分がある静止画像は極力高精細な画像を観察することができるように４点画素ずらしを行い、高周波成分がない静止画像または動きの速い被写体がない動画像は２点画素ずらしを行い、動きの速い被写体がある動画像は表示の遅延時間がより短いＬＰＦモードによる表示を行うようにしている。このＬＰＦモードは、複数のサブフレーム画像を生成する必要がなく、画像処理に要する時間を短縮することができるために、動きの速い被写体を表示する際にも、遅延が発生するのを抑制することが可能である。
【０２０６】
次に、図１１は、図８のステップＳ７における第１省エネ動作の詳細を示すフローチャートである。
【０２０７】
この処理を開始すると、まず、この撮像装置の動作モードが、再生モードであるか記録モードであるかを判定する（ステップＳ６１）。
【０２０８】
ここで記録モードであると判定された場合には、後述する第２記録モード処理を行って（ステップＳ６２）、その後はステップＳ６１の処理へ戻る。
【０２０９】
また、ステップＳ６１において、再生モードであると判定された場合には、再生しようとする画像が、静止画像であるか動画像であるかを判定する（ステップＳ６３）。
【０２１０】
ここで、静止画像であると判定された場合には、上述したように画像の空間周波数解析を行う（ステップＳ６４）。
【０２１１】
そして、ステップＳ６４における空間周波数解析の結果に基づいて、画像中に高周波成分があるか否かを判定する（ステップＳ６５）。
【０２１２】
ここで、高周波成分があると判定された場合には、ＥＶＦ表示部６を２点画素ずらしモードに設定して、省電力を図りながらある程度の高精細な画像を観察することができるようにする（ステップＳ６６）。
【０２１３】
また、ステップＳ６５において、高周波成分がないと判定された場合には、ＥＶＦ表示部６をＬＰＦモードに設定して、省電力を図りながらある程度高品位の画像を観察することができるようにする（ステップＳ６７）。
【０２１４】
一方、ステップＳ６３において、再生しようとする画像が静止画像でなく動画像であると判定された場合には、上述したように動画像の動き検出を行う（ステップＳ６８）。
【０２１５】
そして、ステップＳ６８における動き検出の結果に基づいて、動きの速い被写体が動画像中にあるか否かを判定し（ステップＳ６９）、動きの速い被写体がないと判定された場合には、上記ステップＳ６７へ行って、ＬＰＦモードにより動画像の表示を行う。
【０２１６】
また、ステップＳ６９において、動きの速い被写体があると判定された場合には、ＥＶＦ表示部６を画素ずらしオフに設定して、より省電力を図りながら画像処理を高速に行うことができるようにする（ステップＳ７０）。
【０２１７】
このように、第１省エネ動作を行っているときには、高周波成分がある静止画像は省電力を図りながらある程度の高精細な画像を観察することができるように２点画素ずらしを行い、高周波成分がない静止画像または動きの速い被写体がない動画像はＬＰＦモードによる表示を行い、動きの速い被写体がある動画像は表示の遅延時間が短い画素ずらしオフによる表示を行うようにしている。
【０２１８】
続いて、図１２は、図８のステップＳ９における第２省エネ動作の詳細を示すフローチャートである。
【０２１９】
この処理を開始すると、まず、この撮像装置の動作モードが、再生モードであるか記録モードであるかを判定する（ステップＳ８１）。
【０２２０】
ここで記録モードであると判定された場合には、後述する第２記録モード処理を行って（ステップＳ８２）、その後はステップＳ８１の処理へ戻る。
【０２２１】
また、ステップＳ８１において、再生モードであると判定された場合には、再生しようとする画像が、静止画像であるか動画像であるかを判定する（ステップＳ８３）。
【０２２２】
ここで、静止画像であると判定された場合には、上述したように画像の空間周波数解析を行う（ステップＳ８４）。
【０２２３】
そして、ステップＳ８４における空間周波数解析の結果に基づいて、画像中に高周波成分があるか否かを判定する（ステップＳ８５）。
【０２２４】
ここで、高周波成分があると判定された場合には、ＥＶＦ表示部６を部分画素ずらしモードに設定して、省電力を図りながら必要な部分については高精細な画像を観察することができるようにする（ステップＳ８６）。
【０２２５】
また、ステップＳ８３において、再生しようとする画像が静止画像でなく動画像であると判定された場合、あるいは、ステップＳ８５において、高周波成分がないと判定された場合には、ＥＶＦ表示部６を画素ずらしオフに設定して、より省電力を図るようにする（ステップＳ８７）。
【０２２６】
このように、第２省エネ動作を行っているときには、高周波成分がある静止画像は省電力を図りながら部分的に高精細な画像を観察することができるように部分画素ずらしを行い、高周波成分がない静止画像または動画像は画素ずらしオフによる表示を行うようにしている。
【０２２７】
次に、図１３は、図１０のステップＳ４２において実行される第１記録モード処理の詳細を示すフローチャートである。
【０２２８】
この処理を開始すると、まず、記録しようとする画像が、静止画像であるか動画像であるかを判定する（ステップＳ９１）。
【０２２９】
ここで、静止画像であると判定された場合には、現在の画素ずらしモードを記憶する（ステップＳ９２）。
【０２３０】
そして、レリーズボタン１３ａが半押しされることにより、１ｓｔレリーズスイッチがオンしたか否かを判定する（ステップＳ９３）。
【０２３１】
ここで、１ｓｔレリーズスイッチがオフであると判定された場合には、画素ずらし表示判断部１４ａは、接眼検知ユニット３６によりユーザがＥＶＦ表示部６を介して観察を行っているか否かと、フォーカスリング１３ｂが操作されユーザがピント調節を行っている最中であるか否かと、グリップ部５３が把持されているか否かと、を判定する（ステップＳ９４）。
【０２３２】
ここで、ＥＶＦ表示部６を介して観察が行われていると判定されるか、ピント調節が行われていると判定されるか、またはグリップ部５３が把持されていると判定された場合には、ＥＶＦ表示部６により高精細な表示を行うことが望ましいために、ＥＶＦ表示部６を４点画素ずらしモードに設定してから（ステップＳ９５）、上記ステップＳ９３へ戻って１ｓｔレリーズがオンされるのを待機する。
【０２３３】
また、ステップＳ９３において、１ｓｔレリーズスイッチがオンであると判定された場合には、この撮像装置がＡＦ動作およびＡＥ動作を行うために、ユーザが目標とする位置に焦点調節が行われたか否かを確認するためにも高精細な表示を行うことが望ましく、ＥＶＦ表示部６を４点画素ずらしモードに設定する（ステップＳ９６）。
【０２３４】
その後、レリーズボタン１３ａが全押しされることにより、２ｎｄレリーズスイッチがオンしたか否かを判定する（ステップＳ９７）。
【０２３５】
ここで、２ｎｄレリーズスイッチがオフであると判定された場合には、１ｓｔレリーズスイッチがまだオンのままであるか否かを判定する（ステップＳ９８）。
【０２３６】
そして、１ｓｔレリーズスイッチがオンのままである場合には、ステップＳ９６へ戻って４点画素ずらしによる表示を継続して行う。
【０２３７】
一方、ステップＳ９８において、１ｓｔレリーズがオフになったと判定された場合、または、ステップＳ９４において、ユーザによるＥＶＦ表示部６の観察、ピント調節、およびグリップ部の把持が検出されない場合には、ＥＶＦ表示部６の表示モードを、ステップＳ９２において記憶した画素ずらしモードに戻してから（ステップＳ９９）、ステップＳ９３へ行って１ｓｔレリーズスイッチの検出を行う。
【０２３８】
また、ステップＳ９７において、２ｎｄレリーズスイッチがオンしたことが検出された場合には、撮像部１により静止画像を撮像して画像処理回路２や圧縮伸張部３により処理した後に、着脱メモリ８に記録する処理を行う（ステップＳ１００）。
【０２３９】
その後、ステップＳ９２において記憶した画素ずらしモードに戻してから（ステップＳ１０１）、この処理からリターンする。
【０２４０】
また、ステップＳ９１において、記録しようとする画像が動画像であると判定された場合には、動画像の記録を開始する操作が操作部１３を介してなされたか否かを判定する（ステップＳ１０２）。
【０２４１】
ここで、動画像の記録を開始する操作がなされていないと判定された場合には、ステップＳ９１へ戻って上述したような処理を行う。
【０２４２】
一方、ステップＳ１０２において、動画像の記録を開始する操作がなされたと判定された場合には、撮像部１により動画像を撮像して画像処理回路２や圧縮伸張部３により処理した後に、着脱メモリ８に記録する処理を行う（ステップＳ１０３）。
【０２４３】
そして、動画像の記録を終了する操作が操作部１３を介してなされたか否かを判定し（ステップＳ１０４）、なされていないと判定された場合にはステップＳ１０３の処理により動画像の記録を継続して行い、また、なされたと判定された場合にはこの第１記録モード処理からリターンする。
【０２４４】
続いて、図１４は、図１１のステップＳ６２および図１２のステップＳ８２において実行される第２記録モード処理の詳細を示すフローチャートである。
【０２４５】
この第２記録モード処理は、図１３に示した第１記録モード処理とほぼ同様であるために、同一の処理を行う部分については同一の符号を付して説明を省略する。
【０２４６】
この第２記録モード処理は、第１記録モード処理から、ステップＳ９４およびステップＳ９５の処理を省略したものとなっている。
【０２４７】
すなわち、ステップＳ９３において、１ｓｔレリーズスイッチがオフであると判定された場合には、この第２記録モード処理においては、このステップＳ９３の処理を繰り返して行うことにより、１ｓｔレリーズスイッチがオンされるのを待機するようになっている。
【０２４８】
その他の部分については、図１３に示した第１記録モード処理と同様である。
【０２４９】
このような第２記録モード処理を行うことにより、単にユーザを検知しただけでは４点画素ずらしを行わず、１ｓｔレリーズスイッチがオンされたときに始めて４点画素ずらしを行うようにしたために、より省電力を図ることが可能となる。
【０２５０】
次に、図１５は、ユーザ設定割り込みの処理を示すフローチャートである。
【０２５１】
この処理は、ユーザがメニュー表示等を見ながら操作部１３を介してＥＶＦ表示部６の表示モードの設定を行ったときに割り込みとして発生する処理となっている。
【０２５２】
この処理を開始すると、まず、センサ７からの出力に基づき、ユーザが設定した画素ずらしモードの動作を行うことが可能な温度（動作可能温度）であるか否かを判定する（ステップＳ１１１）。
【０２５３】
ここで、動作可能温度であると判定された場合には、次に、電源部１１が電池から電力を供給されているか（この撮像装置が電池駆動であるか）、または外部電源から電力を供給されているか（この撮像装置が外部電源駆動であるか）を、画素ずらし表示判断部１４ａが判定する（ステップＳ１１２）。
【０２５４】
ここで、外部電源から電力を供給されていると判定された場合には、ユーザが設定入力した画素ずらしモードに設定する（ステップＳ１１３）。
【０２５５】
また、電池から電力を供給されていると判定された場合には、電池の残量が、ユーザが設定した画素ずらしモードの動作を行うのに十分であるか否かを判定する（ステップＳ１１４）。
【０２５６】
ここで、電池残量が十分であると判定された場合には、上記ステップＳ１１３へ行ってユーザが設定入力した画素ずらしモードに設定する。
【０２５７】
一方、このステップＳ１１４において、電池の残量が不足すると判定された場合、またはステップＳ１１１において動作可能温度でないと判定された場合には、その旨の警告表示を所定時間だけ行って、ＥＶＦ６の表示モードを変更することなく、そのまま元の処理にリターンする。
【０２５８】
なお、このユーザ割り込みにより設定された画素ずらしモードも、この撮像装置に何らの操作が行われることなく所定時間が経過した場合には、図８のステップＳ１０に示した画素ずらしオフモードに移行するようになっている。
【０２５９】
次に、図１６は、撮像装置が適用された携帯情報端末の構成例を示すブロック図である。
【０２６０】
この携帯情報端末６０は、図１に示したような撮像装置を、例えばＰＤＡ（Personal Digital Asistant）や携帯電話等に適用したものとなっている。従って、この図１６において、図１に示した構成部分とほぼ同様の構成部分については、同一の符号を付して説明を適宜省略する。
【０２６１】
この携帯情報端末６０は、上記撮像部１と、上記表示部４と、上記ＥＶＦ表示部６と、上記センサ７と、上記着脱メモリ８と、上記電源部１１と、上記電源状態判断部１２と、上記操作部１３と、制御部６１と、メモリ部６２と、音声入力部６３と、音声出力部６４と、無線通信機能部６５と、を備えている。
【０２６２】
このように、この携帯情報端末６０は、無線機能のあるカメラ付きの携帯情報端末であって、かつ画素ずらし機能を備えるＥＶＦ表示部付きの携帯情報端末となっている。
【０２６３】
撮像部１は、図１に示した撮像部１とほぼ同様に、静止画像や動画像を撮像してデジタル信号に変換し出力するものであり、例えばＣＣＤ撮像素子を備えるＣＣＤカメラとして構成されている。
【０２６４】
表示部４は、図１に示した表示部４と同様に、画像を表示したり、あるいはこの携帯情報端末６０に係る各種の情報を表示したりするためのものであり、例えばＬＣＤ等を含んで構成されている。
【０２６５】
ＥＶＦ表示部６は、図１に示したＥＶＦ表示部６ほぼ同様に構成されたものであり、画素ずらし素子４４を備え、画素ずらし表示可能に構成されたものである。
【０２６６】
センサ７は、図１に示したセンサ７と同様に、例えば温度センサを含んで構成されている。なお、この携帯情報端末６０にも把持部等にセンサを設けて、使用状態を検出するようにしても構わない。
【０２６７】
着脱メモリ８は、図１に示した着脱メモリ８と同様に、静止画像や動画像が記録された記録媒体である。
【０２６８】
電源部１１は、図１に示した電源部１１と同様に、電池または外部電源から供給される電力を、この携帯情報端末６０内部の各部に安定化して供給するものである。この携帯情報端末６０は、携帯可能なものであって、通常の携帯時には電池により駆動するようになっているが、ＡＣアダプタ等を接続することにより外部電源から電力の供給を受けて動作することも可能となっている。
【０２６９】
電源状態判断部１２は、図１に示した電源状態判断部１２と同様に、電源部１１が電池から電源の供給を行っているか、または外部電源から電源の供給を行っているかを判定すると共に、さらに電池から電源の供給を行っていると判定したときには電池の電圧等を検出することにより電池の残量を判定するものとなっている。この電源状態判断部１２による判定結果は、制御部６１へ伝達されるようになっている。
【０２７０】
操作部１３は、この携帯情報端末６０の電源のオン／オフ（ここに、オフはスタンバイモードとなり、オンは記録モードまたは再生モードとなる）を行うための電源スイッチや、この携帯情報端末６０の動作モードを記録モードまたは再生モードに設定するためのモード切換スイッチ、記録モードのときに動画像を記録するか静止画像を記録するかを設定するための動画／静止画切換スイッチ、撮像動作を指示入力するためのレリーズボタン、ＥＶＦ部６の画素ずらしモードを設定するためのボタン、各種の選択操作や移動操作を行うためのボタン等、その他テンキーや各種機能キーを含んで構成されるものである。
【０２７１】
制御部６１は、図１に示したシステムコントローラ１４とほぼ同様に、メモリ部６２に格納されている制御プログラムに基づいて各部の動作を制御するものである。従って、この携帯情報端末６０におけるメモリ部６２は、図１に示した不揮発性メモリ１０の機能を兼ねたものとなっている。
【０２７２】
メモリ部６２は、上述した制御プログラムや各種のパラメータ等を格納し、さらに画像データなどを適宜格納するものである。
【０２７３】
音声入力部６３は、音声入力を行うためのマイク等を含んで構成されている。
【０２７４】
音声出力部６４は、音声出力を行うためのスピーカやトランスミッタ等を含んで構成されている。
【０２７５】
無線通信機能部６５は、外部の機器と無線通信を行うためのものである。
【０２７６】
この図１６においては、携帯情報端末６０の詳細な構成を省略しているが、その他、図１に示したような構成を適宜備えていても構わない。
【０２７７】
このような構成の携帯情報端末６０において、静止画像を表示する場合や、一画面に表示される文字数が多く解像度の高い表示が必要になる場合などには、制御部６１が表示内容を判断することにより、あるいは操作部１３を介したユーザの入力に基づいて、ＥＶＦ表示部６により適宜の表示モードで画素ずらし表示を行うようになっている。また、画素ずらしを行う必要がない低解像の画像を表示する場合や、あるいは動画を表示する場合などには画素ずらし表示を適宜オフとして省電力を図るようにしている。このような携帯情報端末６０の動作の詳細は、上述した撮像装置の動作に準ずるが、画面に表示される文字情報の量などを判断し、その判断結果に応じて表示モードを制御するようにした点が、上述した撮像装置の例と異なる部分である。
【０２７８】
また、制御部６１は、ＥＶＦ表示部６により表示を行っている間は、例えば表示部４を非表示とするなどにより、より低消費電力を図る制御も行うようになっている。
【０２７９】
なお、携帯情報端末６０におけるその他の動作は、通常の携帯情報端末と同様であるために、記述を省略する。
【０２８０】
続いて、図１７は、撮像部やＥＶＦ表示部を外付けとした携帯情報端末の構成例を示すブロック図である。この図１７において、上述した図１６と同様である部分については同一の符号を付して説明を適宜省略する。
【０２８１】
この携帯情報端末６０Ａは、図１６に示した携帯情報端末から、撮像部１とＥＶＦ表示部６とを省略した構成となっている。そして、この携帯情報端末６０Ａには、外付け撮像ＥＶＦ部７０を着脱自在に接続することができるようになっている。
【０２８２】
外付け撮像ＥＶＦ部７０は、撮像部１とＥＶＦ表示部６と第２制御部７１とを有して構成されていて、撮像部１とＥＶＦ表示部６とは第２制御部７１に接続されている。また、この外付け撮像ＥＶＦ部７０が携帯情報端末６０Ａに装着された際には、第２制御部７１は、携帯情報端末６０Ａの制御部６１と双方向に通信可能となるように接続される。そして、第２制御部７１は、制御部６１の制御に基づいて、撮像部１からの画像データの処理を行うとともに、ＥＶＦ表示部６の表示制御を行うものである。
【０２８３】
携帯情報端末６０Ａに内蔵される表示部４は、一般に、携帯性を損なわない程度の大きさに制約されるために、例えば携帯情報端末６０Ａが携帯電話であってこの携帯電話をテレビ電話として使用しようとすると、表示部４の大きさが十分であるとはいえない。そこで、この携帯情報端末６０Ａにおいては、ＥＶＦ表示部６を撮像部１と共に外付けとなるように構成している。
【０２８４】
なお、外付撮像ＥＶＦ部７０は、携帯情報端末６０Ａに対して直接装着する（あるいは有線を介して接続する）に限るものではなく、例えば無線通信を介して動作するようにしても構わない。このときには、外付撮像ＥＶＦ部７０にも無線通信機能部や電源部等を設けることになる。
【０２８５】
また、この図１７に示す構成においては、携帯情報端末６０Ａ内に制御部６１を設け、外付撮像ＥＶＦ部７０に第２制御部７１を設けているが、これに限らず、制御部６１が第２制御部７１の機能を兼ねるようにしても構わない。このときには、外付撮像ＥＶＦ部７０は、撮像部１とＥＶＦ表示部６とを含むように構成すればよい。
【０２８６】
そして、この図１７に示したような携帯情報端末６０Ａおよび外付撮像ＥＶＦ部７０の作用は、図１６を参照して説明したものと実質的に同様である。
【０２８７】
なお、図１６や図１７に示した例では、携帯情報端末６０，６０Ａの例として、ＰＤＡや携帯電話を挙げたが、これらに限らず、画素ずらし機能を備えたＥＶＦ表示部を備える機器であれば、広く適用することが可能である。
【０２８８】
また、上述では、色面順次型の照明部とモノクロタイプの液晶とにより構成される面順次型の表示方式と、ＲＧＢのカラーフィルタが形成された表示素子を用いる表示方式と、について説明したが、表示方式はこれらに限られるものではなく、透過型ではなく反射型のＬＣＤ（ＬＣＯＳ）を用いる方式や、微小なミラーを振動することにより変調された画像情報を得るようにするＤＭＤを用いる方式などを採用することも可能である。あるいは、ＥＬ素子やＬＥＤアレイのような自発光するタイプの表示素子を用いるようにしても構わない。以下に、幾つかの具体例を示す。
【０２８９】
まず、図１８は、画像表示装置としてのヘッドマウントディスプレイ（ＨＭＤ）の構成例を示すブロック図である。
【０２９０】
このＨＭＤは、図１に示したような撮像装置における画像表示装置の構成部分を抽出して、ＨＭＤとして構成したものとなっている。従って、この図１８において、図１に示した構成部分とほぼ同様の構成部分については、同一の符号を付して説明を適宜省略する。
【０２９１】
ＨＭＤは、ＨＭＤ本体８０と、ＨＭＤコントローラ８１と、を有して構成されており、これらは互いに有線または無線を介して通信可能に接続されている。
【０２９２】
ＨＭＤ本体８０は、頭部に装着して用いられるものであり、上述したようにＨＭＤコントローラ８１を別体とすることにより、可能な限りの小型軽量化を図ったものとなっている。従って、画像表示装置としての機能部の内で、ＨＭＤ本体８０に必要不可欠である部分を除いて、できるだけＨＭＤコントローラ８１側に機能部をもたせるように構成している。このＨＭＤ本体８０は、照明部としてのバックライト８２と、上記表示素子４０と、上記画素ずらし素子４４と、接眼光学系４５と、表示制御手段たる表示制御部３１Ａと、を備えている。このＨＭＤ本体８０においては、図１の構成と異なり、光源を備える照明部として、バックライト８２を用いている。また、表示制御部３１Ａは、図１に示したＥＶＦ表示制御部３１と基本的には同様であり、画素ずらし制御部３１ａも備えている。そして、ＨＭＤ本体８０の小型軽量化を図るために、例えばバックライト８２を白色ＬＥＤ光源を用いる構成とするとともに、表示素子４０を単板ＬＣＤ等として構成することが具体例として挙げられる。
【０２９３】
ＨＭＤコントローラ８１は、上記電源部１１と、上記電源状態判断部１２と、上記操作部１３と、上記システムコントローラ１４と、を備えている。
【０２９４】
なお、この図１８においては、ＨＭＤの詳細な構成を省略しているが、その他、図１に示したような構成を適宜備えていても構わない。
【０２９５】
そして、この図１８に示すＨＭＤにおいても、電源部１１が電池から電源の供給を行っているか、または外部電源から電源の供給を行っているかを判定すると共に、さらに電池から電源の供給を行っていると判定したときには電池の電圧等を検出することにより電池の残量を判定して、この判定結果に基づいて、４点画素ずらしモード、２点画素ずらしモード、部分画素ずらしモード、ＬＰＦモード、画素ずらしオフモードの内の何れかの表示モードを設定するようにしているのは上述と同様である。
【０２９６】
このように、ＨＭＤ等の頭部に装着して用いるタイプの画像表示装置においても、電源状態に応じて適切な表示モードを設定することにより、使用時間を長くしながらなるべく高精細、高品質な画像を表示することが可能となる。
【０２９７】
続いて、図１９は、画像表示装置としてのプロジェクタの構成例を示すブロック図である。
【０２９８】
このプロジェクタ９０は、図１に示したような撮像装置における画像表示装置の構成部分を抽出して、プロジェクタとして構成したものとなっている。従って、この図１９において、図１に示した構成部分とほぼ同様の構成部分については、同一の符号を付して説明を適宜省略する。
【０２９９】
このプロジェクタ９０は、携帯可能となるように構成されたものであり、携帯時には電源として電池を使用することができるように構成されている。
【０３００】
プロジェクタ９０は、上記電源部１１と、上記電源状態判断部１２と、上記操作部１３と、上記システムコントローラ１４と、表示制御手段たる表示制御部３１Ｂと、白色光源９１と、インテグレータロッド９２と、照明色切換部９３と、照明光学系９４と、ミラー９５と、表示素子９６と、ミラー９７と、画素ずらし素子９８と、拡大光学系たる投射光学系９９と、前処理回路１００と、を備えている。
【０３０１】
白色光源９１は、例えば超高圧水銀ランプ等を備えて構成されており、白色光を発生するものである。
【０３０２】
インテグレータロッド９２は、光源の輝点を内部反射を用いて多点化することにより、光のムラをなくして、均一な照明光に変換するためのものである。
【０３０３】
照明色切換部９３は、白色光源９１から射出される光の色成分を時系列的に抽出するためのものであり、例えば、カラーホイールとして構成されている。このカラーホイールは、Ｒ（赤）の波長のみを透過可能なＲフィルタ、Ｇ（緑）の波長のみを透過可能なＧフィルタ、Ｂ（青）の波長のみを透過可能なＢフィルタの３つのカラーフィルタを円板上に円周方向に配置し、この円板をモータ等の駆動手段により回動するように構成したものである。これにより、カラーホイールは、ＲＧＢの３色光を時分割で順次生成するようになっている。
【０３０４】
照明光学系９４は、照明色切換部９３からの照明光を、表示素子９６へ効率良く投射するための光学系である。
【０３０５】
ミラー９５は、照明光学系９４からの照明光を、表示素子９６へ反射して導くものである。
【０３０６】
表示素子９６は、例えばＤＭＤ（デジタル・マイクロミラー・デバイス）を用いて構成されたものである。
【０３０７】
ミラー９７は、表示素子９６からの変調された光を、画素ずらし素子９８へ反射して導くものである。
【０３０８】
画素ずらし素子９８は、ミラー９８ａと、このミラー９８ａを微小振動するための駆動装置９８ｂと、を有して構成され、ミラー９８ａの微小振動により画素ずらしを行うものである。ここに、駆動装置９８ｂは、例えばボイスコイル等を備えて構成された振動手段である。こうして、この図１９に示す画素ずらし素子９８は、いわゆるメカニカル方式で画素ずらしを行う構成となっている。
【０３０９】
投射光学系９９は、表示素子９６により変調され画素ずらし素子９８を経由した画像を拡大してスクリーン１１１へ実像として投影するためのものである。
【０３１０】
表示制御部３１Ｂは、図１に示したＥＶＦ表示制御部３１と基本的には同様であり、画素ずらし制御部３１ｂを備えている。ただし、この図１９に示す例においては、制御する対象が図１に示した例と異なり、照明色切換部９３、表示素子９６、画素ずらし素子９８等であるために、異なる符号を付している。
【０３１１】
前処理回路１００は、様々な映像信号を表示素子９６に表示可能なフォーマットに変換するための処理を行う回路である。この前処理回路１００が行う処理の例としては、例えば、解像度変換、フレームレート変換、ＩＰ（インタレース・プログレッシブ）変換などがある。そして、表示制御部３１Ｂは、この前処理回路１００により処理された映像信号を、高解像度表示するように、画素ずらし制御を行うようになっている。
【０３１２】
このように、この図１９に示す例においてはメカニカル方式の画素ずらしの構成を採用しているが、画素位置がスクリーン１１１上において半画素ずれるように画素ずらしを行うのは上述と同様であり、その結果得られる解像度等も上述と同様である。
【０３１３】
そして、この図１９に示すプロジェクタ９０においても、電源部１１が電池から電源の供給を行っているか、または外部電源から電源の供給を行っているかを判定すると共に、さらに電池から電源の供給を行っていると判定したときには電池の電圧等を検出することにより電池の残量を判定して、この判定結果に基づいて、４点画素ずらしモード、２点画素ずらしモード、部分画素ずらしモード、ＬＰＦモード、画素ずらしオフモードの内の何れかの表示モードを設定するようにしているのは上述と同様である。
【０３１４】
このように、プロジェクタ９０のような画像を実像として拡大して投影するタイプの画像表示装置においても、電源状態に応じて適切な表示モードを設定することにより、使用時間を長くしながらなるべく高精細、高品質な画像を表示することが可能となる。
【０３１５】
なお、画素ずらし素子は、偏光スイッチング液晶と複屈折板とを組み合わせた構成を採用するに限るものではなく、一例を上に示したようにメカニカル振動を用いて画素ずらしを行う技術を採用しても構わないし、上記特開平９−１３３９０４号公報や特開２００２−３２８４０２号公報に記載されているような、液晶のみを用いて液晶分子の傾斜による複屈折によって入射する偏光の屈折角と変位する方向とを変化する技術などを用いた画素ずらし素子を採用しても構わない。ただし、上述したような電気的な印加電圧のオン／オフにより、画素ずらしをするかしないかを制御する技術を採用する場合には、アクチュエータ等を用いてメカニカル振動を発生させ画素ずらしを行う技術を採用する場合のような振動の発生要因になることがなく、消費電力が増加することがなく、振動により摩耗が発生することがないという利点がある。加えて、上述したような電気的な印加電圧のオン／オフによる画素ずらしは、光線シフトによる画素ずらしを、きわめて安定して高精度に、かつ安価に実現することができる利点がある。
【０３１６】
そして、図１に示した構成においては、システムコントローラ１４とＥＶＦ表示制御部３１とを別体の構成としているが、両方の機能をシステムコントローラ１４内で行うようにして、ＥＶＦ表示制御部３１を省略する構成としても構わない。
【０３１７】
また、上述では、画素ずらしの順序を画素位置Ａ→Ｃ→Ｂ→Ｄの順としている例を示しているが、これに限るものではないことはもちろんである。
【０３１８】
さらに、上述では、電源状態や装置の温度、静止画像か動画像か、再生か記録か、などに応じて、複数の画素ずらしモードの中から選択していたが、上述したのは一例であって、これに限るものでないことはもちろんである。例えば、複数のサブフレーム画像を画像処理するのは比較的大きな消費電力を必要とするが、画素ずらし素子４４を複数点画素ずらしモードで駆動するときの消費電力は比較的小さい。従って、ＬＰＦモードでも十分な省電力を図ることができるために、画素ずらし表示オフモードに代えて、ＬＰＦモードを用いるようにしても構わない。このように、上述したようなフローチャートにおいて設定されている画素ずらしモードは、適宜、他の画素ずらしモードに代えることが可能である。
【０３１９】
そして、上述ではサブフレームメモリ３２を内蔵メモリ９とは別体に設けているが、これらを共用にしても良い。この場合には、メモリが共用されるためにトータルのメモリ容量が少なくなり、コストを削減することが可能となる。
【０３２０】
加えて、上述では、動画像を再生するときに、動画像中に動きの速い被写体がある場合にはＬＰＦモードや画素ずらしオフモードに設定するようにしているが、静止画像を撮像するときのいわゆるスルー画像を表示する際にも、動きの速い被写体があればＬＰＦモードや画素ずらしオフモードに設定するようにすると良い。上述したように、複数のサブフレーム画像を画像処理すると、処理時間を要するために表示に遅延が発生する可能性があるが、動きの速い被写体の場合にはこの遅延によりシャッタチャンスを逃してしまう可能性がある。これに対して、ＬＰＦモードや画素ずらしオフモードにより表示を行うことにより、シャッタチャンスを逃す可能性を低減することが可能となる。ただし、処理速度が高速な画像処理回路を用いることができ、画像の転送速度を十分に確保することができる場合には、この限りではない。
【０３２１】
また、上述では、例えば、接眼検知ユニット３６によるユーザの目の検知に応じて、画素ずらしモードを変更するようにしているが、さらに、接眼検知ユニット３６により一定時間を経過してもユーザの目が検知されない場合には、ＥＶＦ表示部６全体への電源供給をオフするようにしても良い。
【０３２２】
そして、図１に示した構成においては、ＥＶＦ表示部６内に、ＥＶＦ表示制御部３１、サブフレームメモリ３２、光源駆動回路３３、表示素子駆動回路３４、ＳＷ液晶駆動回路３５を設けているが、例えば上述したようにサブフレームメモリ３２を内蔵メモリ９と兼用することも可能であるために、これに限るものではない。
【０３２３】
また、上述では複数点画素ずらしモードとして、４点画素ずらしモード、２点画素ずらしモードを説明したが、これらに限らず、３点画素ずらしモードや５点もしくはそれ以上の画素ずらしモードであっても構わない。
【０３２４】
加えて、上述では、空間周波数解析を静止画像に対してのみ行ったが、動画像に対して行い、解析結果に応じて画素ずらしモードを変更するようにしても構わない。
【０３２５】
さらに、上述では、実際の製品を考慮して、電池の残量に応じて画素ずらしモードを変更するだけでなく、装置の温度や、空間周波数の高周波成分、動画である場合の動きなどを考慮して、各種の組み合わせに応じて画素ずらしモードを変更するようにしていた。ただし、各表示モードの消費電力は、４点画素ずらしモード、２点画素ずらしモード、部分画素ずらしモード、ＬＰＦモード、画素ずらしオフモードの順に小さくなるために、単純に電池残量だけを考慮する場合には、電池残量が少なくなるにつれてこの順に表示モードを変更するようにすればよい。
【０３２６】
このような実施形態１によれば、電源の状態や装置の温度等に応じて、画素ずらしの態様および消費電力の異なる複数の表示モードの内の、適切な表示モードで動作を行うようにしたために、装置の動作時間をなるべく長くしながら、画素ずらしによる高精細な表示を行うことが可能となる。
【０３２７】
そして、画素ずらしの表示モードを、記録モードであるか再生モードであるかに応じて制御するようにしているために、動作モードに応じた適切な表示を行うことが可能となる。
【０３２８】
また、静止画像に高周波成分があるか否かや、動画像に動きの速い被写体があるか否かに応じて、表示モードを変更するようにしているために、被写体に応じた適切な表示モードを省電力化を図りながら設定することが可能となる。
【０３２９】
そして、ユーザが使用している状態であるか否かに応じて、画素ずらし表示モードを切り換えるようにしたために、省電力化を図りながら、必要なときには高精細な表示を行うことが可能となる。
【０３３０】
さらに、携帯情報端末においては、文字情報の量等に応じて、必要がある場合には高精細な表示を行い、必要でない場合には高精細な表示を行わないようにしたために、表示する情報に応じて適切に省電力化を図ることができる。
【０３３１】
このように、装置の状態に応じて、必要な解像度等の表示モードを選択するようにしているために、省電力化を図りながら可能な範囲内で高精細な表示を得ることができる。従って、必要な性能を確保しながら、電池駆動時の駆動時間を延ばすことが可能となる。
【０３３２】
なお、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【産業上の利用可能性】
【０３３３】
本発明は、画素ずらしを行うことにより表示素子が備える画素数以上の高精細表示を可能とする画像表示装置、撮像装置、処理プログラム、画像表示装置の制御方法に好適に利用することができる。
【図面の簡単な説明】
【０３３４】
【図１】本発明の実施形態１における、画素ずらしの技術を用いたＥＶＦ表示部を備える撮像装置の構成を示すブロック図。
【図２】上記実施形態１において、画素ずらし素子により４点画素ずらしを行う作用を説明するための図。
【図３】上記実施形態１において、４点画素ずらしモードにおける光源部と表示素子と偏光スイッチング液晶との駆動を示すタイミングチャート。
【図４】上記実施形態１において、４点画素ずらしモードにおけるカラー表示素子と偏光スイッチング液晶との駆動を示すタイミングチャート。
【図５】上記実施形態１において、２点画素ずらしモードにおける光源部と表示素子と偏光スイッチング液晶との駆動を示すタイミングチャート。
【図６】上記実施形態１において、ＬＰＦモードにおける光源部と表示素子と偏光スイッチング液晶との駆動を示すタイミングチャート。
【図７】上記実施形態１において、撮像装置が使用されている状態にあるか否かを検出する構成の配置を示す平面図。
【図８】上記実施形態１において、撮像装置における電源状態や温度に応じた動作の分岐を示すフローチャート。
【図９】上記実施形態１の図８のステップＳ３における外部電源動作の詳細を示すフローチャート。
【図１０】上記実施形態１の図８のステップＳ５における電池通常動作の詳細を示すフローチャート。
【図１１】上記実施形態１の図８のステップＳ７における第１省エネ動作の詳細を示すフローチャート。
【図１２】上記実施形態１の図８のステップＳ９における第２省エネ動作の詳細を示すフローチャート。
【図１３】上記実施形態１の図１０のステップＳ４２において実行される第１記録モード処理の詳細を示すフローチャート。
【図１４】上記実施形態１の図１１のステップＳ６２および図１２のステップＳ８２において実行される第２記録モード処理の詳細を示すフローチャート。
【図１５】上記実施形態１におけるユーザ設定割り込みの処理を示すフローチャート。
【図１６】上記実施形態１において、撮像装置が適用された携帯情報端末の構成例を示すブロック図。
【図１７】上記実施形態１において、撮像部やＥＶＦ表示部を外付けとした携帯情報端末の構成例を示すブロック図。
【図１８】上記実施形態１において、画像表示装置としてのヘッドマウントディスプレイ（ＨＭＤ）の構成例を示すブロック図。
【図１９】上記実施形態１において、画像表示装置としてのプロジェクタの構成例を示すブロック図。
【符号の説明】
【０３３５】
１…撮像部（撮像手段）
２…画像処理回路（空間周波数解析手段、動き検出手段）
３…圧縮伸張部（空間周波数解析手段）
４…表示部
５…タイミングジェネレータ
６…ＥＶＦ表示部（画素ずらし拡大表示部）
７…センサ（測定手段）
８…着脱メモリ
９…内蔵メモリ
１０…不揮発性メモリ
１１…電源部
１２…電源状態判断部
１３…操作部（操作手段、検知手段）
１３ａ…レリーズボタン（検知手段）
１３ｂ…フォーカスリング（手動ピント調節手段、検知手段）
１４…システムコントローラ（空間周波数解析手段、動き検出手段）
１４ａ…画素ずらし表示判断部（モード設定手段）
２１…撮像光学部
２２…撮像素子
２３…撮像回路
２４…Ａ／Ｄ変換器
２５…フォーカスモータ駆動回路
２６…ズームモータ駆動回路
２７…絞り駆動回路
２８…シャッタ駆動回路
３１…ＥＶＦ表示制御部（表示制御手段）
３１Ａ，３１Ｂ…表示制御部（表示制御手段）
３１ａ，３１ｂ…画素ずらし制御部
３２，３２ａ，３２ｂ，３２ｃ，３２ｄ…サブフレームメモリ
３３…光源駆動回路
３４…表示素子駆動回路
３５…ＳＷ液晶駆動回路
３６…接眼検知ユニット（接眼検知手段、検知手段）
３７…光源部
３７ｒ…赤色（Ｒ）ＬＥＤ
３７ｇ…緑色（Ｇ）ＬＥＤ
３７ｂ…青色（Ｂ）ＬＥＤ
３８…照明光学系
３９，４１…偏光板
４０…表示素子
４２ａ，４２ｂ…偏光スイッチング液晶
４３ａ，４３ｂ…複屈折板
４４…画素ずらし素子
４５…接眼光学系（拡大光学系）
４６…スイッチング液晶センサユニット
５１…本体
５２…レンズ鏡筒
５３…グリップ部
６０，６０Ａ…携帯情報端末
６１…制御部
６２…メモリ部
６３…音声入力部
６４…音声出力部
６５…無線通信機能部
７０…外付撮像ＥＶＦ部
７１…第２制御部
８０…ＨＭＤ本体
８１…ＨＭＤコントローラ
８２…バックライト
９０…プロジェクタ（画像表示装置）
９１…白色光源
９２…インテグレータロッド
９３…照明色切換部
９４…照明光学系
９５，９７…ミラー
９６…表示素子
９８…画素ずらし素子
９８ａ…ミラー
９８ｂ…駆動装置
９９…投射光学系（拡大光学系）
１００…前処理回路
１１１…スクリーン
【図１】
2008271413.tif 000003
【図２】
2008271413.tif 000004
【図３】
2008271413.tif 000005
【図４】
2008271413.tif 000006
【図５】
2008271413.tif 000007
【図６】
2008271413.tif 000008
【図７】
2008271413.tif 000009
【図８】
2008271413.tif 000010
【図９】
2008271413.tif 000011
【図１０】
2008271413.tif 000012
【図１１】
2008271413.tif 000013
【図１２】
2008271413.tif 000014
【図１３】
2008271413.tif 000015
【図１４】
2008271413.tif 000016
【図１５】
2008271413.tif 000017
【図１６】
2008271413.tif 000018
【図１７】
2008271413.tif 000019
【図１８】
2008271413.tif 000020
【図１９】
2008271413.tif 000021